(57)【要約】この出願の実施形態は、第１のデバイスによって、データチャネルに対する位相トラッキング参照信号ＰＴＲＳの相対電力比又は復調参照信号ＤＭＲＳに対するＰＴＲＳの相対電力比を決定するステップであって、データチャネルに対するＰＴＲＳの相対電力比は、第１の関数及び第１の変数を用いることによって決定され、ＤＭＲＳに対するＰＴＲＳの相対電力比は、第２の関数、第１の変数、及び第２の変数を用いることによって決定され、第１の変数は、トランスポートレイヤの数量又はＤＭＲＳポートの数量を含み、第２の変数は、ＤＭＲＳの周波数領域密度を含む、ステップと、データチャネルに対するＰＴＲＳの相対電力比及びデータチャネルの送信電力に基づいて、又は、ＤＭＲＳに対するＰＴＲＳの相対電力比及びＤＭＲＳの送信電力に基づいて、ＰＴＲＳの送信電力を決定するステップと、ＰＴＲＳの送信電力を用いることによってＰＴＲＳを第２のデバイスに送信するステップと、を含む、送信電力決定方法を提供する。
2020523904.tif 000002
【特許請求の範囲】
【請求項１】
第１のデバイスによって、データチャネルに対する位相トラッキング参照信号ＰＴＲＳの相対電力比又は復調参照信号ＤＭＲＳに対するＰＴＲＳの相対電力比を決定するステップであって、前記データチャネルに対する前記ＰＴＲＳの前記相対電力比は、第１の関数と第１の変数とを用いることによって決定され、前記ＤＭＲＳに対する前記ＰＴＲＳの前記相対電力比は、第２の関数と、前記第１の変数と、第２の変数とを用いることによって決定され、前記第１の変数は、トランスポートレイヤの数量又はＤＭＲＳポートの数量を含み、前記第２の変数は、前記ＤＭＲＳの周波数領域密度を含む、ステップと、
前記第１のデバイスによって、前記データチャネルに対する前記ＰＴＲＳの前記相対電力比と前記データチャネルの送信電力とに基づいて、又は前記ＤＭＲＳに対する前記ＰＴＲＳの前記相対電力比と前記ＤＭＲＳの送信電力とに基づいて前記ＰＴＲＳの送信電力を決定するステップと、
前記第１のデバイスによって、前記ＰＴＲＳの前記送信電力を用いることによって第２のデバイスに前記ＰＴＲＳを送信するステップと
を含む、送信電力決定方法。
【請求項２】
前記第１のデバイスは、端末デバイスを含み、前記第２のデバイスは、基地局デバイスを含み、前記データチャネルは、物理アップリンク共有チャネルＰＵＳＣＨを含む、
請求項１に記載の方法。
【請求項３】
前記第１のデバイスは、基地局デバイスを含み、前記第２のデバイスは、端末デバイスを含み、前記データチャネルは、物理ダウンリンク共有チャネルＰＤＳＣＨを含む、
請求項１に記載の方法。
【請求項４】
前記データチャネルに対する前記ＰＴＲＳの前記相対電力比が第１の関数と第１の変数とを用いることによって決定されることは、
前記データチャネルに対する前記ＰＴＲＳの相対電力比＝１０ｌｏｇ10（Ｘ）であること
を含み、ここで、
Ｘは、前記第１の変数を構成する、
請求項１〜３のいずれか１項に記載の方法。
【請求項５】
前記ＤＭＲＳに対する前記ＰＴＲＳの前記相対電力比が第２の関数と、前記第１の変数と、第２の変数とを用いることによって決定されることは、
前記ＤＭＲＳに対する前記ＰＴＲＳの相対電力比＝１０ｌｏｇ10（ＸＹ）であること
を含み、ここで、
Ｘは、前記第１の変数を構成し、Ｙは、前記第２の変数を構成する、
請求項１〜３のいずれか１項に記載の方法。
【請求項６】
第１のデバイスによって、データチャネルに対する位相トラッキング参照信号ＰＴＲＳの相対電力比又は復調参照信号ＤＭＲＳに対するＰＴＲＳの相対電力比を決定するために表を探索するステップと、
前記第１のデバイスによって、前記データチャネルに対する前記ＰＴＲＳの前記相対電力比と前記データチャネルの送信電力とに基づいて、又は前記ＤＭＲＳに対する前記ＰＴＲＳの前記相対電力比と前記ＤＭＲＳの送信電力とに基づいて前記ＰＴＲＳの送信電力を決定するステップと、
前記第１のデバイスによって、前記ＰＴＲＳの前記送信電力を用いることによって第２のデバイスに前記ＰＴＲＳを送信するステップと
を含む、送信電力決定方法。
【請求項７】
前記第１のデバイスは、端末デバイスを含み、前記第２のデバイスは、基地局デバイスを含み、前記データチャネルは、物理アップリンク共有チャネルＰＵＳＣＨを含む、
請求項６に記載の方法。
【請求項８】
前記第１のデバイスは、基地局デバイスを含み、前記第２のデバイスは、端末デバイスを含み、前記データチャネルは、物理ダウンリンク共有チャネルＰＤＳＣＨを含む、
請求項６に記載の方法。
【請求項９】
第１のデバイスによって、データチャネルに対するＰＴＲＳの相対電力比を決定するために表を探索する前記ステップは、
前記第１のデバイスによって、前記データチャネルに対する前記ＰＴＲＳの前記相対電力比を決定するために
【表１】
2020523904.tif 000045
又は
【表２】
2020523904.tif 000046
の表を探索するステップを含む、
請求項７に記載の方法。
【請求項１０】
第１のデバイスによって、データチャネルに対するＰＴＲＳの相対電力比を決定するために表を探索する前記ステップは、
前記第１のデバイスによって、前記データチャネルに対する前記ＰＴＲＳの前記相対電力比を決定するために
【表３】
2020523904.tif 000047
又は
【表４】
2020523904.tif 000048
の表を探索するステップを含む、
請求項８に記載の方法。
【請求項１１】
第１のデバイスによって、ＤＭＲＳに対するＰＴＲＳの相対電力比を決定するために表を探索する前記ステップは、
前記第１のデバイスによって、前記ＤＭＲＳに対する前記ＰＴＲＳの前記相対電力比を決定するために
【表５】
2020523904.tif 000049
又は
【表６】
2020523904.tif 000050
の表を探索するステップを含む、
請求項６〜８のいずれか１項に記載の方法。
【請求項１２】
処理チップであって、前記処理チップは、
データチャネルに対する位相トラッキング参照信号ＰＴＲＳの相対電力比又は復調参照信号ＤＭＲＳに対するＰＴＲＳの相対電力比を決定することであって、前記データチャネルに対する前記ＰＴＲＳの前記相対電力比は、第１の関数と第１の変数とを用いることによって決定され、前記ＤＭＲＳに対する前記ＰＴＲＳの前記相対電力比は、第２の関数と、前記第１の変数と、第２の変数とを用いることによって決定され、前記第１の変数は、トランスポートレイヤの数量又はＤＭＲＳポートの数量を含み、前記第２の変数は、前記ＤＭＲＳの周波数領域密度を含む、ことと、
前記データチャネルに対する前記ＰＴＲＳの前記相対電力比と前記データチャネルの送信電力とに基づいて、又は前記ＤＭＲＳに対する前記ＰＴＲＳの前記相対電力比と前記ＤＭＲＳの送信電力とに基づいて前記ＰＴＲＳの送信電力を決定することと
を行うように構成された、処理チップ。
【請求項１３】
前記データチャネルは、物理アップリンク共有チャネルＰＵＳＣＨ又は物理ダウンリンク共有チャネルＰＤＳＣＨを含む、
請求項１２に記載の処理チップ。
【請求項１４】
前記データチャネルに対する前記ＰＴＲＳの前記相対電力比が第１の関数と第１の変数とを用いることによって決定されることは、
前記データチャネルに対する前記ＰＴＲＳの相対電力比＝１０ｌｏｇ10（Ｘ）であること
を含み、ここで、
Ｘは、前記第１の変数を構成する
請求項１２又は１３に記載の処理チップ。
【請求項１５】
前記ＤＭＲＳに対する前記ＰＴＲＳの前記相対電力比が第２の関数と、前記第１の変数と、第２の変数とを用いることによって決定されることは、
前記ＤＭＲＳに対する前記ＰＴＲＳの相対電力比＝１０ｌｏｇ10（ＸＹ）であること
を含み、ここで、
Ｘは、前記第１の変数を構成し、Ｙは、前記第２の変数を構成する
請求項１２又は１３に記載の処理チップ。
【請求項１６】
処理チップであって、前記処理チップは、
データチャネルに対する位相トラッキング参照信号ＰＴＲＳの相対電力比又は復調参照信号ＤＭＲＳに対するＰＴＲＳの相対電力比を決定するために表を探索し、
前記データチャネルに対する前記ＰＴＲＳの前記相対電力比と前記データチャネルの送信電力とに基づいて、又は前記ＤＭＲＳに対する前記ＰＴＲＳの前記相対電力比と前記ＤＭＲＳの送信電力とに基づいて前記ＰＴＲＳの送信電力を決定する
ように構成された、処理チップ。
【請求項１７】
前記データチャネルは、物理アップリンク共有チャネルＰＵＳＣＨを含む
請求項１６に記載の処理チップ。
【請求項１８】
前記データチャネルは、物理ダウンリンク共有チャネルＰＤＳＣＨを含む
請求項１６に記載の処理チップ。
【請求項１９】
データチャネルに対するＰＴＲＳの相対電力比を決定するために表を前記探索することは、
前記データチャネルに対する前記ＰＴＲＳの前記相対電力比を決定するために
【表７】
2020523904.tif 000051
又は
【表８】
2020523904.tif 000052
の表を探索すること
を含む、請求項１７に記載の方法。
【請求項２０】
データチャネルに対するＰＴＲＳの相対電力比を決定するために表を前記探索することは、
前記データチャネルに対する前記ＰＴＲＳの前記相対電力比を決定するために
【表９】
2020523904.tif 000053
又は
【表１０】
2020523904.tif 000054
の表を探索すること
を含む、請求項１８に記載の処理チップ。
【請求項２１】
ＤＭＲＳに対するＰＴＲＳの相対電力比を決定するために表を前記探索することは、
前記ＤＭＲＳに対する前記ＰＴＲＳの前記相対電力比を決定するために
【表１１】
2020523904.tif 000055
又は
【表１２】
2020523904.tif 000056
の表を探索すること
を含む、請求項１６〜１８のいずれか１項に記載の処理チップ。
【請求項２２】
データチャネルに対する位相トラッキング参照信号ＰＴＲＳの相対電力比又は復調参照信号ＤＭＲＳに対するＰＴＲＳの相対電力比を決定することであって、前記データチャネルに対する前記ＰＴＲＳの前記相対電力比は、第１の関数と第１の変数とを用いることによって決定され、前記ＤＭＲＳに対する前記ＰＴＲＳの前記相対電力比は、第２の関数と、前記第１の変数と、第２の変数とを用いることによって決定され、前記第１の変数は、トランスポートレイヤの数量又はＤＭＲＳポートの数量を含み、前記第２の変数は、前記ＤＭＲＳの周波数領域密度を含む、ことと、
前記データチャネルに対する前記ＰＴＲＳの前記相対電力比と前記データチャネルの送信電力とに基づいて、又は前記ＤＭＲＳに対する前記ＰＴＲＳの前記相対電力比と前記ＤＭＲＳの送信電力とに基づいて前記ＰＴＲＳの送信電力を決定することと
を行うように構成された、プロセッサと、
前記ＰＴＲＳの前記送信電力を用いることによって別の通信デバイスに前記ＰＴＲＳを送信するように構成された、送信機と、
を備える、通信デバイス。
【請求項２３】
前記通信デバイスは、端末デバイスを含み、前記別の通信デバイスは、基地局デバイスを含み、前記データチャネルは、物理アップリンク共有チャネルＰＵＳＣＨを含む、
請求項２２に記載の通信デバイス。
【請求項２４】
前記通信デバイスは、基地局デバイスを含み、前記別の通信デバイスは、端末デバイスを含み、前記データチャネルは、物理ダウンリンク共有チャネルＰＤＳＣＨを含む、
請求項２２に記載の通信デバイス。
【請求項２５】
前記データチャネルに対する前記ＰＴＲＳの前記相対電力比が第１の関数と第１の変数とを用いることによって決定されることは、
前記データチャネルに対する前記ＰＴＲＳの相対電力比＝１０ｌｏｇ10（Ｘ）であること
を含み、ここで、
Ｘは、前記第１の変数を構成する、
請求項２２〜２４のいずれか１項に記載の通信デバイス。
【請求項２６】
前記ＤＭＲＳに対する前記ＰＴＲＳの前記相対電力比が第２の関数と、前記第１の変数と、第２の変数とを用いることによって決定されることは、
前記ＤＭＲＳに対する前記ＰＴＲＳの相対電力比＝１０ｌｏｇ10（ＸＹ）であること
を含み、ここで、
Ｘは、前記第１の変数を構成し、Ｙは、前記第２の変数を構成する
請求項２２〜２４のいずれか１項に記載の通信デバイス。
【請求項２７】
データチャネルに対する位相トラッキング参照信号ＰＴＲＳの相対電力比又は復調参照信号ＤＭＲＳに対するＰＴＲＳの相対電力比を決定するために表を探索し、
前記データチャネルに対する前記ＰＴＲＳの前記相対電力比と前記データチャネルの送信電力とに基づいて、又は前記ＤＭＲＳに対する前記ＰＴＲＳの前記相対電力比と前記ＤＭＲＳの送信電力とに基づいて前記ＰＴＲＳの送信電力を決定する
ように構成された、プロセッサと、
前記ＰＴＲＳの前記送信電力を用いることによって第２のデバイスに前記ＰＴＲＳを送信するように構成された、送信機と、
を備える、通信デバイス。
【請求項２８】
前記通信デバイスは、端末デバイスを含み、前記別の通信デバイスは、基地局デバイスを含み、前記データチャネルは、物理アップリンク共有チャネルＰＵＳＣＨを含む、
請求項２７に記載の通信デバイス。
【請求項２９】
前記通信デバイスは、基地局デバイスを含み、前記別の通信デバイスは、端末デバイスを含み、前記データチャネルは、物理ダウンリンク共有チャネルＰＤＳＣＨを含む、
請求項２７に記載の通信デバイス。
【請求項３０】
データチャネルに対するＰＴＲＳの相対電力比を決定するために表を前記探索することは、
前記データチャネルに対する前記ＰＴＲＳの前記相対電力比を決定するために
【表１３】
2020523904.tif 000057
又は
【表１４】
2020523904.tif 000058
の表を探索することを含む、
請求項２８に記載の通信デバイス。
【請求項３１】
データチャネルに対するＰＴＲＳの相対電力比を決定するために表を前記探索することは、
前記データチャネルに対する前記ＰＴＲＳの前記相対電力比を決定するために
【表１５】
2020523904.tif 000059
又は
【表１６】
2020523904.tif 000060
の表を探索することを含む、
請求項２９に記載の通信デバイス。
【請求項３２】
ＤＭＲＳに対するＰＴＲＳの相対電力比を決定するために表を前記探索することは、
前記ＤＭＲＳに対する前記ＰＴＲＳの前記相対電力比を決定するために
【表１７】
2020523904.tif 000061
又は
【表１８】
2020523904.tif 000062
の表を探索することを含む、
請求項２７〜２９のいずれか１項に記載の通信デバイス。
【請求項３３】
第１のデバイスによって、複数のトランスポートレイヤにデータをマッピングするステップであって、前記複数のトランスポートレイヤは、第１のトランスポートレイヤを含み、前記第１のトランスポートレイヤは、第１のＲＥセットと第２のＲＥセットとに対応しており、前記第１のＲＥセットと前記第２のＲＥセットとはそれぞれ、複数のＲＥを含み、前記第１のＲＥセット中の各ＲＥは、位相トラッキング参照信号ＰＴＲＳにマッピングされ、前記第２のＲＥセット中の各ＲＥは、データマッピングのために用いられることができない、ステップと、
前記第２のＲＥセット中の全てのＲＥの電力を用いることによって前記第１のデバイスによって、前記第１のＲＥセット中の全てのＲＥにマッピングされたＰＴＲＳの送信電力を増加させるステップと、
前記第１のデバイスによって、増加された送信電力を用いることによって前記ＰＴＲＳを送信するステップと、
を含む、送信電力決定方法。
【請求項３４】
複数のトランスポートレイヤにデータをマッピングすることであって、前記複数のトランスポートレイヤは、第１のトランスポートレイヤを含み、前記第１のトランスポートレイヤは、第１のＲＥセットと第２のＲＥセットとに対応しており、前記第１のＲＥセットと前記第２のＲＥセットとはそれぞれ、複数のＲＥを含む、前記第１のＲＥセット中の各ＲＥは、位相トラッキング参照信号ＰＴＲＳにマッピングされ、前記第２のＲＥセット中の各ＲＥは、データマッピングのために用いられることができない、ことと、
前記第２のＲＥセット中の全てのＲＥの電力を用いることによって、前記第１のＲＥセット中の全てのＲＥにマッピングされたＰＴＲＳの送信電力を増加させることと
を行うように構成された、プロセッサと、
増加された送信電力を用いることによって前記ＰＴＲＳを送信するように構成された、送信機と、
を備える、通信デバイス。
【請求項３５】
端末デバイスによって、プリセットされた式に従って位相トラッキング参照信号ＰＴＲＳの送信電力を決定するステップと、
前記端末デバイスによって、前記ＰＴＲＳの前記送信電力を用いることによって基地局デバイスに前記ＰＴＲＳを送信するステップと、を含み、
前記プリセットされた式は、
【数１】
2020523904.tif 000063
を含み、ここで、
ｉは、サブフレーム番号を表し、ｃは、セル番号を表し、ｊは、プリセットされた値を表し、ＰPTRS（ｉ）は、前記ＰＴＲＳの前記送信電力を表し、前記ＰＴＲＳの前記送信電力は、サブフレームｉ中のセルｃに前記ＰＴＲＳを送信するために前記端末デバイスによって用いられる送信電力を含み、ＰCMAX,c（ｉ）は、前記端末デバイスの利用可能な送信電力を表し、ＰPTRS_OFFSET,c（ｍ）は、プリセットされた調整パラメータを表し、ｍは、０又は１に等しく、ＭPTRS,cは、前記ＰＴＲＳの送信帯域幅を表し、ＰO_PUSCH,c（ｊ）は、ＰＵＳＣＨの基準電力を表し、αc（ｊ）は、経路損失の補償度を表し、ＰＬcは、前記端末デバイスが前記セルｃの参照信号を測定した後に取得された経路損失値を表し、ｆc（ｉ）は、前記端末デバイスに固有の閉ループ電力制御を表す、
送信電力決定方法。
【請求項３６】
端末デバイスによって、プリセットされた式に従ってＰＴＲＳの送信電力を決定するステップと、
前記端末デバイスによって、前記ＰＴＲＳの前記送信電力を用いることによって基地局デバイスに前記ＰＴＲＳを送信するステップと、を含み、
前記プリセットされた式は、
【数２】
2020523904.tif 000064
を含み、ここで、
ｉは、サブフレーム番号を表し、ｃは、セル番号を表し、ｊは、プリセットされた値を表し、ＰPTRS,c（ｉ）は、前記ＰＴＲＳの前記送信電力を表し、前記ＰＴＲＳの前記送信電力は、サブフレームｉ中のセルｃに前記ＰＴＲＳを送信するために前記端末デバイスによって用いられる送信電力を含み、ＰCMAX,c（ｉ）は、前記端末デバイスの利用可能な送信電力を表し、ＰO_PTRS,c（ｊ）は、前記ＰＴＲＳの基準電力を表し、αc（ｊ）は、経路損失の補償度を表し、ＰＬcは、前記端末デバイスが前記セルｃの参照信号を測定した後に取得された経路損失値を表す、
送信電力決定方法。
【請求項３７】
前記プリセットされた式は、
【数３】
2020523904.tif 000065
をさらに含み、ここで、
ｇ（ｉ）は、前記端末デバイスに固有の調整パラメータを表す
請求項３６に記載の方法。
【請求項３８】
前記プリセットされた式は、
【数４】
2020523904.tif 000066
をさらに含み、ここで、
ｎRSは、前記ＰＴＲＳの優先度パラメータを表し、ｈ（ｎRS）は、ｎRSを用いることによって前記端末デバイスによって取得された電力オフセットを表し、Ｆは、パイロットパターンを表し、ΔPTRS（Ｆ）は、前記パイロットパターンに対応する電力調整値を表し、ＮPTRS-portは、前記ＰＴＲＳを送信するためのアンテナポートの数量を表し、ΔTxD（ＮPTRS-port）は、アンテナポートの前記数量に対応する電力調整値を表す
請求項３７に記載の方法。
【請求項３９】
端末デバイスであって、
プリセットされた式に従って位相トラッキング参照信号ＰＴＲＳの送信電力を決定するように構成されたプロセッサと、
前記ＰＴＲＳの前記送信電力を用いることによって基地局デバイスに前記ＰＴＲＳを送信するように構成された送信機と、を備え、
前記プリセットされた式は、
【数５】
2020523904.tif 000067
を含み、ここで、
ｉは、サブフレーム番号を表し、ｃは、セル番号を表し、ｊは、プリセットされた値を表し、ＰPTRS,c（ｉ）は、前記ＰＴＲＳの前記送信電力を表し、前記ＰＴＲＳの前記送信電力は、サブフレームｉ中のセルｃに前記ＰＴＲＳを送信するために前記端末デバイスによって用いられる送信電力を含み、ＰCMAX,c（ｉ）は、前記端末デバイスの利用可能な送信電力を表し、ＰPTRS_OFFSET,c（ｍ）は、プリセットされた調整パラメータを表し、ｍは、０又は１に等しく、ＭPTRS,cは、前記ＰＴＲＳの送信帯域幅を表し、ＰO_PUSCH,c（ｊ）は、ＰＵＳＣＨの基準電力を表し、αc（ｊ）は、経路損失の補償度を表し、ＰＬｃは、前記端末デバイスが前記セルｃの参照信号を測定した後に取得された経路損失値を表し、ｆc（ｉ）は、前記端末デバイスに固有の閉ループ電力制御を表す、
端末デバイス。
【請求項４０】
端末デバイスであって、
プリセットされた式に従ってＰＴＲＳの送信電力を決定するように構成されたプロセッサと、
前記ＰＴＲＳの前記送信電力を用いることによって基地局デバイスに前記ＰＴＲＳを送信するように構成された送信機と、を備え、
前記プリセットされた式は、
【数６】
2020523904.tif 000068
を含み、ここで、
ｉは、サブフレーム番号を表し、ｃは、セル番号を表し、ｊは、プリセットされた値を表し、ＰPTRS,c（ｉ）は、前記ＰＴＲＳの前記送信電力を表し、前記ＰＴＲＳの前記送信電力は、サブフレームｉ中のセルｃに前記ＰＴＲＳを送信するために前記端末デバイスによって用いられる送信電力を含み、ＰCMAX,c（ｉ）は、前記端末デバイスの利用可能な送信電力を表し、ＰO_PTRS,c（ｊ）は、前記ＰＴＲＳの基準電力を表し、αc（ｊ）は、経路損失の補償度を表し、ＰＬcは、前記端末デバイスが前記セルｃの参照信号を測定した後に取得された経路損失値を表す、
端末デバイス。
【請求項４１】
前記プリセットされた式は、
【数７】
2020523904.tif 000069
をさらに含み、ここで、
ｇ（ｉ）は、前記端末デバイスに固有の調整パラメータを表す
請求項４０に記載の端末デバイス。
【請求項４２】
前記プリセットされた式は、
【数８】
2020523904.tif 000070
をさらに含み、ここで、
ｎRSは、前記ＰＴＲＳの優先度パラメータを表し、ｈ（ｎRS）は、ｎRSを用いることによって前記端末デバイスによって取得された電力オフセットを表し、Ｆは、パイロットパターンを表し、ΔPTRS（Ｆ）は、前記パイロットパターンに対応する電力調整値を表し、ＮPTRS-portは、前記ＰＴＲＳを送信するためのアンテナポートの数量を表し、ΔTxD（ＮPTRS-port）は、アンテナポートの前記数量に対応する電力調整値を表す
請求項４１に記載の端末デバイス。
【請求項４３】
第１のデバイスによって、データチャネルに対する位相トラッキング参照信号ＰＴＲＳの相対電力比を決定するステップと、
前記第１のデバイスによって、前記データチャネルに対する前記ＰＴＲＳの前記相対電力比に基づいて前記ＰＴＲＳの送信電力を決定するステップと、
前記第１のデバイスによって、前記ＰＴＲＳの前記送信電力を用いることによって第２のデバイスに前記ＰＴＲＳを送信するステップと、を含み、アップリンク送信又はダウンリンク送信中、トランスポートレイヤの数量が１であるとき、前記データチャネルに対する前記ＰＴＲＳの前記相対電力比は０ｄＢである
送信電力決定方法。
【請求項４４】
前記第１のデバイスによって、前記データチャネルに対する前記ＰＴＲＳの前記相対電力比に基づいて前記ＰＴＲＳの送信電力を決定する前記ステップは、
前記第１のデバイスによって、前記データチャネルに対する前記ＰＴＲＳの前記相対電力比と前記データチャネルの送信電力とに基づいて前記ＰＴＲＳの前記送信電力を決定するステップを含む、
請求項４３に記載の方法。
【請求項４５】
前記アップリンク送信又は前記ダウンリンク送信中、トランスポートレイヤの前記数量が２であるとき、前記データチャネルに対する前記ＰＴＲＳの前記相対電力比は３ｄＢである、
請求項４３又は４４に記載の方法。
【請求項４６】
前記アップリンク送信又は前記ダウンリンク送信中、トランスポートレイヤの前記数量が３であるとき、前記データチャネルに対する前記ＰＴＲＳの前記相対電力比は４．７７ｄＢである、
請求項４３又は４４に記載の方法。
【請求項４７】
前記アップリンク送信又は前記ダウンリンク送信中、トランスポートレイヤの前記数量が４であるとき、前記データチャネルに対する前記ＰＴＲＳの前記相対電力比は６ｄＢである請求項４３又は４４に記載の方法。
【請求項４８】
前記ダウンリンク送信中、トランスポートレイヤの前記数量が５であるとき、前記データチャネルに対する前記ＰＴＲＳの前記相対電力比は７ｄＢである、
請求項４３又は４４に記載の方法。
【請求項４９】
前記ダウンリンク送信中、トランスポートレイヤの前記数量が６であるとき、前記データチャネルに対する前記ＰＴＲＳの前記相対電力比は７．７８ｄＢである、
請求項４３又は４４に記載の方法。
【請求項５０】
データチャネルに対する位相トラッキング参照信号ＰＴＲＳの相対電力比を決定し、前記データチャネルに対する前記ＰＴＲＳの前記相対電力比に基づいて前記ＰＴＲＳの送信電力を決定するように構成された、プロセッサと、
前記ＰＴＲＳの前記送信電力を用いることによって第２のデバイスに前記ＰＴＲＳを送信するように構成された、送信機と、を備え、
アップリンク送信又はダウンリンク送信中、トランスポートレイヤの数量が１であるとき、前記データチャネルに対する前記ＰＴＲＳの前記相対電力比は０ｄＢである
通信装置。
【請求項５１】
前記プロセッサは、前記データチャネルに対する前記ＰＴＲＳの前記相対電力比と前記データチャネルの送信電力とに基づいて前記ＰＴＲＳの前記送信電力を決定するように特に構成された、
請求項５０に記載の装置。
【請求項５２】
前記アップリンク送信又は前記ダウンリンク送信中、トランスポートレイヤの前記数量が２であるとき、前記データチャネルに対する前記ＰＴＲＳの前記相対電力比は３ｄＢである、
請求項５０又は５１に記載の装置。
【請求項５３】
前記アップリンク送信又は前記ダウンリンク送信中、トランスポートレイヤの前記数量が３であるとき、前記データチャネルに対する前記ＰＴＲＳの前記相対電力比は４．７７ｄＢである、
請求項５０又は５１に記載の装置。
【請求項５４】
前記アップリンク送信又は前記ダウンリンク送信中、トランスポートレイヤの前記数量が４であるとき、前記データチャネルに対する前記ＰＴＲＳの前記相対電力比は６ｄＢである、
請求項５０又は５１に記載の装置。
【請求項５５】
前記ダウンリンク送信中、トランスポートレイヤの前記数量が５であるとき、前記データチャネルに対する前記ＰＴＲＳの前記相対電力比は７ｄＢである、
請求項５０又は５１に記載の装置。
【請求項５６】
前記ダウンリンク送信中、トランスポートレイヤの前記数量が６であるとき、前記データチャネルに対する前記ＰＴＲＳの前記相対電力比は７．７８ｄＢである、
請求項５０又は５１に記載の装置。
【請求項５７】
コンピュータプログラムが記憶されるコンピュータ記憶媒体であって、プロセッサによって実行されているときに、前記プログラムは、請求項４３〜４９のいずれか１項に記載の前記方法を実装するコンピュータ記憶媒体。
【請求項５８】
命令を含むコンピュータプログラム製品であって、前記コンピュータプログラム製品がコンピュータ上で動作するとき、前記コンピュータは、請求項４３〜４９のいずれか１項に記載の前記方法を実行することが可能になるコンピュータプログラム製品。
【発明の詳細な説明】
【技術分野】
【０００１】
本発明は、通信技術の分野に関し、特に、送信電力決定方法、処理チップ、及び通信デバイスに関する。
【背景技術】
【０００２】
ロングタームエボリューション（Ｌｏｎｇ  Ｔｅｒｍ  Ｅｖｏｌｕｔｉｏｎ、ＬＴＥ）と比較して、５Ｇ通信システムではより高いキャリア周波数（略して、高周波数）が用いられる。現在の標準は、高周波数は通常６ＧＨｚ超であると規定しており、また、より広い帯域幅及びより高い送信レートを用いるワイヤレス通信を実現するために現在最も研究されている帯域は、２８ＧＨｚ、３８ＧＨｚ、７２ＧＨｚなどである。しかし、従来の低周波数通信と比較して、高周波数システムは、より深刻な中間無線周波数のひずみ、特に、位相雑音の影響を有する。さらに、ドップラーシフト及び搬送周波数オフセット（Ｃａｒｒｉｅｒ  Ｆｒｅｑｕｅｎｃｙ  Ｏｆｆｓｅｔ、ＣＦＯ）の影響が周波数とともに増加する。
【０００３】
多入力多出力直交周波数分割多重（Ｍａｓｓｉｖｅ  ｉｎｐｕｔ  ｍａｓｓｉｖｅ  ｏｕｔｐｕｔ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＭＩＭＯ−ＯＦＤＭ）の例では、受信端の位相雑音及び搬送周波数オフセットの両方と送信端のそれらとが考慮され、受信端が高速フーリエ変換（Ｆａｓｔ  Ｆｏｕｒｉｅｒ  Ｔｒａｎｓｆｏｒｍ、ＦＦＴ）を実行した後のｋ番目のサブキャリア上のｎ番目の受信アンテナの受信式は、
【０００４】
【数１】
2020523904.tif 000003
【０００５】
であり、ここで、
【０００６】
【数２】
2020523904.tif 000004
【０００７】
即ち、
【０００８】
【数３】
2020523904.tif 000005
【０００９】
である。
【００１０】
【数４】
2020523904.tif 000006
【００１１】
は、ｋ番目のサブキャリア上のｍ番目の送信アンテナからｎ番目の受信アンテナまでのチャネルを表し、
【００１２】
【数５】
2020523904.tif 000007
【００１３】
は、ｋ番目のサブキャリア上のｍ番目のアンテナを用いることによって送信されたデータを表し、
【００１４】
【数６】
2020523904.tif 000008
【００１５】
は、ｋ番目のサブキャリア上のｎ番目の受信アンテナの雑音を表し、
【００１６】
【数７】
2020523904.tif 000009
【００１７】
は、ｋ番目のサブキャリア上のｎ番目の受信アンテナのための受信端の位相雑音とＣＦＯとによって生じる位相偏移を表し、
【００１８】
【数８】
2020523904.tif 000010
【００１９】
は、ｋ番目のサブキャリア上のｍ番目の受信アンテナのための送信端の位相雑音とＣＦＯとによって生じる位相偏移を表す。ＯＦＤＭパフォーマンスに対する位相雑音の影響が、主に、共通位相誤差（Ｃｏｍｍｏｎ  Ｐｈａｓｅ  Ｅｒｒｏｒ、ＣＰＥ）とキャリア間干渉（Ｉｎｔｅｒ−ｃａｒｒｉｅｒ  Ｉｎｔｅｒｆｅｒｅｎｃｅ、ＩＣＩ）との２つの態様に反映され、ＯＦＤＭパフォーマンスに対するＣＦＯの影響が、主に、ＩＣＩに反映されることが式から学習されることができる。実際のシステムでは、パフォーマンスに対するＩＣＩの影響は、パフォーマンスに対するＣＰＥの影響よりも小さい。従って、ＣＰＥは、位相雑音補償方式において優先的に補償される。
【００２０】
図１Ａは、６４ＱＡＭ変調信号が位相雑音によって影響されないコンスタレーションポイントを示す。図１Ｂは、２Ｇ帯域上の６４ＱＡＭ変調信号が位相雑音によって影響されるコンスタレーションポイントを示す。図１Ｃは、２８Ｇ帯域上の６４ＱＡＭ変調信号が位相雑音によって影響されるコンスタレーションポイントを示す。図１Ａから図１Ｃに示すように、位相雑音は例として使用され、位相雑音レベルは、２０×ｌｏｇ(f1/f2)のレベルで帯域とともに劣化する。２Ｇ帯域と２８Ｇ帯域とは例として使用され、２８Ｇ帯域の位相雑音レベルは、２３ｄＢだけ２Ｇ帯域の位相雑音レベルより高い。より高い位相雑音レベルは、共通位相誤差（Ｃｏｍｍｏｎ  Ｐｈａｓｅ  Ｅｒｒｏｒ、ＣＰＥ）のより大きい影響を生じ、ＣＰＥは、より大きい位相誤差を生じる。
【００２１】
ＣＰＥは、同じＯＦＤＭシンボルの異なるサブキャリアに対して同じ影響を課し、異なるサブキャリア上の位相誤差は白色ガウス雑音のために異なる。従って、周波数領域において、位相補償参照信号（Ｐｈａｓｅ  ｃｏｍｐｅｎｓａｔｉｏｎ  Ｒｅｆｅｒｅｎｃｅ  Ｓｉｇｎａｌ、ＰＣＲＳ）（位相トラッキング参照信号（Ｐｈａｓｅ  ｔｒａｃｋｉｎｇ  Ｒｅｆｅｒｅｎｃｅ  Ｓｉｇｎａｌ、ＰＴＲＳ）と呼ばれることもあり、ここで、ＰＣＲＳは当業界では現在一律に名前がつけられていないが、以後便宜上本発明ではＰＴＲＳと一律に呼ぶ）の特定の数量は、白色ガウス雑音の影響をできる限り低減するためにＣＰＥを推定し、平均を計算するために用いられる必要がある。
【００２２】
現在、ＰＴＲＳの送信電力をどのように決定するかは、緊急に解決される必要がある技術的問題である。
【発明の概要】
【００２３】
この出願の実施形態は、異なる数量のＤＭＲＳポートと、異なる数量のＰＴＲＳポートと、異なるポート多重化方式構成とにフレキシブルに適応するために送信電力決定方法を提供し、それによって、効率的なエネルギーの使用を保証し、ＰＴＲＳの測定精度を改善する。
【００２４】
第１の態様によれば、この出願の一実施形態は、第１のデバイスによって、データチャネルに対する位相トラッキング参照信号ＰＴＲＳの相対電力比又は復調参照信号ＤＭＲＳに対するＰＴＲＳの相対電力比を決定するステップであって、データチャネルに対するＰＴＲＳの相対電力比は、第１の関数と第１の変数とを用いることによって決定され、ＤＭＲＳに対するＰＴＲＳの相対電力比は、第２の関数と、第１の変数と、第２の変数とを用いることによって決定され、第１の変数は、トランスポートレイヤの数量又はＤＭＲＳポートの数量を含み、第２の変数は、ＤＭＲＳの周波数領域密度を含む、ステップと、第１のデバイスによって、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定するステップと、第１のデバイスによって、ＰＴＲＳの送信電力を用いることによって第２のデバイスにＰＴＲＳを送信するステップとを含む送信電力決定方法を提供する。
【００２５】
第１の態様によれば、可能な実装では、第１のデバイスは、端末デバイスを含み、第２のデバイスは、基地局デバイスを含み、データチャネルは、物理アップリンク共有チャネルＰＵＳＣＨを含む。
【００２６】
第１の態様によれば、可能な実装では、第１のデバイスは、基地局デバイスを含み、第２のデバイスは、端末デバイスを含み、データチャネルは、物理ダウンリンク共有チャネルＰＤＳＣＨを含む。
【００２７】
第１の態様及び第１の態様の全ての可能な実装によれば、可能な実装では、データチャネルに対するＰＴＲＳの相対電力比が第１の関数と第１の変数とを用いることによって決定されることは、
データチャネルに対するＰＴＲＳの相対電力比＝１０ｌｏｇ10（Ｘ）であること
を含み、Ｘは、第１の変数を構成する。
【００２８】
第１の態様及び第１の態様の全ての可能な実装によれば、可能な実装では、ＤＭＲＳに対するＰＴＲＳの相対電力比が第２の関数と、第１の変数と、第２の変数とを用いることによって決定されることは、
ＤＭＲＳに対するＰＴＲＳの相対電力比＝１０ｌｏｇ10（ＸＹ）であること
を含み、Ｘは、第１の変数を構成し、Ｙは、第２の変数を構成する。
【００２９】
第２の態様によれば、この出願の一実施形態は、第１のデバイスによって、データチャネルに対する位相トラッキング参照信号ＰＴＲＳの相対電力比又は復調参照信号ＤＭＲＳに対するＰＴＲＳの相対電力比を決定するために表を探索するステップと、第１のデバイスによって、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定するステップと、第１のデバイスによって、ＰＴＲＳの送信電力を用いることによって第２のデバイスにＰＴＲＳを送信するステップと、を含む送信電力決定方法を提供する。
【００３０】
第２の態様によれば、可能な実装では、第１のデバイスは、端末デバイスを含み、第２のデバイスは、基地局デバイスを含み、データチャネルは、物理アップリンク共有チャネルＰＵＳＣＨを含む。
【００３１】
第２の態様によれば、可能な実装では、第１のデバイスは、基地局デバイスを含み、第２のデバイスは、端末デバイスを含み、データチャネルは、物理ダウンリンク共有チャネルＰＤＳＣＨを含む。
【００３２】
第２の態様及び第２の態様の全ての可能な実装によれば、可能な実装では、第１のデバイスによって、データチャネルに対するＰＴＲＳの相対電力比を決定するために表を探索するステップは、
第１のデバイスによって、データチャネルに対するＰＴＲＳの相対電力比を決定するために次の表、即ち
【００３３】
【表１】
2020523904.tif 000011
【００３４】
又は
【００３５】
【表２】
2020523904.tif 000012
【００３６】
を探索するステップを含む。
【００３７】
第２の態様及び第２の態様の全ての可能な実装によれば、可能な実装では、第１のデバイスによって、データチャネルに対するＰＴＲＳの相対電力比を決定するために表を探索するステップは、
第１のデバイスによって、データチャネルに対するＰＴＲＳの相対電力比を決定するために次の表、即ち
【００３８】
【表３】
2020523904.tif 000013
【００３９】
又は
【００４０】
【表４】
2020523904.tif 000014
【００４１】
を探索するステップを含む。
【００４２】
第２の態様及び第２の態様の全ての可能な実装によれば、可能な実装では、第１のデバイスによって、ＤＭＲＳに対するＰＴＲＳの相対電力比を決定するために表を探索するステップは、
第１のデバイスによって、ＤＭＲＳに対するＰＴＲＳの相対電力比を決定するために次の表、即ち
【００４３】
【表５】
2020523904.tif 000015
【００４４】
又は
【００４５】
【表６】
2020523904.tif 000016
【００４６】
を探索するステップを含む。
【００４７】
第３の態様によれば、この出願の一実施形態は、データチャネルに対する位相トラッキング参照信号ＰＴＲＳの相対電力比又は復調参照信号ＤＭＲＳに対するＰＴＲＳの相対電力比を決定することであって、データチャネルに対するＰＴＲＳの相対電力比は、第１の関数と第１の変数とを用いることによって決定され、ＤＭＲＳに対するＰＴＲＳの相対電力比は、第２の関数と、第１の変数と、第２の変数とを用いることによって決定され、第１の変数は、トランスポートレイヤの数量又はＤＭＲＳポートの数量を含み、第２の変数は、ＤＭＲＳの周波数領域密度を含む、ことと、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定することと、を行うように構成された処理チップを提供する。
【００４８】
第３の態様によれば、可能な実装では、データチャネルは、物理アップリンク共有チャネルＰＵＳＣＨ又は物理ダウンリンク共有チャネルＰＤＳＣＨを含む。
【００４９】
第３の態様及び第３の態様の全ての可能な実装によれば、可能な実装では、データチャネルに対するＰＴＲＳの相対電力比が第１の関数と第１の変数とを用いることによって決定されることは、
データチャネルに対するＰＴＲＳの相対電力比＝１０ｌｏｇ10（Ｘ）であること
を含み、Ｘは、第１の変数を構成する。
【００５０】
第３の態様及び第３の態様の全ての可能な実装によれば、可能な実装では、ＤＭＲＳに対するＰＴＲＳの相対電力比が第２の関数と、第１の変数と、第２の変数とを用いることによって決定されることは、
ＤＭＲＳに対するＰＴＲＳの相対電力比＝１０ｌｏｇ10（ＸＹ）であること
を含み、Ｘは、第１の変数を構成し、Ｙは、第２の変数を構成する。
【００５１】
第４の態様によれば、この出願の一実施形態は、データチャネルに対する位相トラッキング参照信号ＰＴＲＳの相対電力比又は復調参照信号ＤＭＲＳに対するＰＴＲＳの相対電力比を決定するために表を探索し、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定するように構成された処理チップを提供する。
【００５２】
第４の態様によれば、可能な実装では、データチャネルは、物理アップリンク共有チャネルＰＵＳＣＨを含む。
【００５３】
第４の態様及び第４の態様の全ての可能な実装によれば、可能な実装では、データチャネルは、物理ダウンリンク共有チャネルＰＤＳＣＨを含む。
【００５４】
第４の態様及び第４の態様の全ての可能な実装によれば、可能な実装では、データチャネルに対するＰＴＲＳの相対電力比を決定するために表を探索することは、
データチャネルに対するＰＴＲＳの相対電力比を決定するために次の表、即ち
【００５５】
【表７】
2020523904.tif 000017
【００５６】
又は
【００５７】
【表８】
2020523904.tif 000018
【００５８】
を探索すること、を含む。
【００５９】
第４の態様及び第４の態様の全ての可能な実装によれば、可能な実装では、データチャネルに対するＰＴＲＳの相対電力比を決定するために表を探索することは、
データチャネルに対するＰＴＲＳの相対電力比を決定するために次の表、即ち
【００６０】
【表９】
2020523904.tif 000019
【００６１】
又は
【００６２】
【表１０】
2020523904.tif 000020
【００６３】
を探索すること、を含む。
【００６４】
第４の態様及び第４の態様の全ての可能な実装によれば、可能な実装では、ＤＭＲＳに対するＰＴＲＳの相対電力比を決定するために表を探索することは、
ＤＭＲＳに対するＰＴＲＳの相対電力比を決定するために次の表、即ち
【００６５】
【表１１】
2020523904.tif 000021
【００６６】
又は
【００６７】
【表１２】
2020523904.tif 000022
【００６８】
を探索すること、を含む。
【００６９】
第５の態様によれば、この出願は、プロセッサと送信機とを含む通信デバイスを提供する。通信デバイスは、第１の態様及び第１の態様の全ての可能な実装において提供される方法を実行するように構成される。
【００７０】
第６の態様によれば、この出願は、プロセッサと送信機とを含む通信デバイスを提供する。通信デバイスは、第２の態様及び第２の態様の全ての可能な実装において提供される方法を実行するように構成される。
【００７１】
第７の態様によれば、この出願は、第１のデバイスによって、複数のトランスポートレイヤにデータをマッピングするステップであって、複数のトランスポートレイヤは、第１のトランスポートレイヤを含み、第１のトランスポートレイヤは、第１のＲＥセットと第２のＲＥセットとに対応しており、第１のＲＥセットと第２のＲＥセットとはそれぞれ、複数のＲＥを含み、第１のＲＥセット中の各ＲＥは、位相トラッキング参照信号ＰＴＲＳにマッピングされ、第２のＲＥセット中の各ＲＥは、データマッピングのために用いられることができない、ステップと、第２のＲＥセット中の全てのＲＥの電力を用いることによって第１のデバイスによって、第１のＲＥセット中の全てのＲＥにマッピングされたＰＴＲＳの送信電力を増加させるステップと、第１のデバイスによって、増加された送信電力を用いることによってＰＴＲＳを送信するステップとを含む、送信電力決定方法を提供する。
【００７２】
第８の態様によれば、この出願の一実施形態は、複数のトランスポートレイヤにデータをマッピングすることであって、複数のトランスポートレイヤは、第１のトランスポートレイヤを含み、第１のトランスポートレイヤは、第１のＲＥセットと第２のＲＥセットとに対応しており、第１のＲＥセットと第２のＲＥセットとはそれぞれ、複数のＲＥを含み、第１のＲＥセット中の各ＲＥは、位相トラッキング参照信号ＰＴＲＳにマッピングされ、第２のＲＥセット中の各ＲＥは、データマッピングのために用いられることができない、ことと、第２のＲＥセット中の全てのＲＥの電力を用いることによって、第１のＲＥセット中の全てのＲＥにマッピングされたＰＴＲＳの送信電力を増加させることと、を行うように構成されたプロセッサと、増加された送信電力を用いることによってＰＴＲＳを送信するように構成された送信機と、を含む通信デバイスを提供する。
【００７３】
この出願の実施形態では、送信端デバイスは、最初に、表を探索することによって又は計算を通してデータチャネルに対する又はＤＭＲＳに対するＰＴＲＳの相対電力比を取得し、データチャネルの送信電力又はＤＭＲＳの送信電力に基づいてＰＴＲＳの送信電力を決定し、送信電力を用いることによってＰＴＲＳを送信し、従って、異なる数量のＤＭＲＳポートと、異なる数量のＰＴＲＳポートと、異なるポート多重化方式構成とがフレキシブルに適応されることができ、それによって、効率的なエネルギー使用を保証する。
【図面の簡単な説明】
【００７４】
本発明の実施形態又は従来技術における技術的な解決法をより明確に説明するために、以下、実施形態又は従来技術を説明するために必要とされる添付の図面を簡単に説明する。以下の説明における添付の図面が本発明のいくつかの実施形態を示すものにすぎないことは明らかであり、当業者は、創造的な努力なしにこれらの添付の図面から他の図面を導き得る。
【００７５】
【図１Ａ】６４ＱＡＭ変調信号が位相雑音によって影響されないコンスタレーションポイントを示す図である。
【図１Ｂ】２Ｇ帯域上の６４ＱＡＭ変調信号が位相雑音によって影響されるコンスタレーションポイントを示す図である。
【図１Ｃ】２８Ｇ帯域上の６４ＱＡＭ変調信号が位相雑音によって影響されるコンスタレーションポイントを示す図である。
【図２】この出願の一実施形態による、適用例シナリオの概略構造図である。
【図３】ＬＴＥシステムにおけるリソースグリッド（ｒｅｓｏｕｒｃｅ  ｇｒｉｄ）の図である。
【図４Ａ】この出願の一実施形態による、パイロットパターンの概略図である（アップリンク送信、１つのトランスポートレイヤ、１つのＤＭＲＳポート、及び１つのＰＴＲＳポート）。
【図４Ｂ−１】この出願の一実施形態による、パイロットパターンの概略図である（アップリンク送信、２つのトランスポートレイヤ、２つのＤＭＲＳポート、及び１つのＰＴＲＳポート、ここで、２つのＤＭＲＳポートが１つのグループにグループ化される）。
【図４Ｂ−２】この出願の一実施形態による、パイロットパターンの概略図である（アップリンク送信、２つのトランスポートレイヤ、２つのＤＭＲＳポート、及び１つのＰＴＲＳポート、ここで、２つのＤＭＲＳポートが１つのグループにグループ化される）。
【図４Ｃ−１】この出願の一実施形態による、パイロットパターンの概略図である（アップリンク送信、２つのトランスポートレイヤ、２つのＤＭＲＳポート、及び２つのＰＴＲＳポート、ここで、２つのＤＭＲＳポートが２つのグループにグループ化される）。
【図４Ｃ−２】この出願の一実施形態による、パイロットパターンの概略図である（アップリンク送信、２つのトランスポートレイヤ、２つのＤＭＲＳポート、及び２つのＰＴＲＳポート、ここで、２つのＤＭＲＳポートが２つのグループにグループ化される）。
【図５】この出願の一実施形態による、送信電力決定方法の概略フローチャートである。
【図６】この出願の一実施形態による、通信デバイスのハードウェアの概略構造図である。
【発明を実施するための形態】
【００７６】
以下に、添付の図面を参照しながらこの出願についてさらに詳細に説明する。
【００７７】
この出願の実施形態は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ロングタームエボリューションアドバンスト（Ｌｏｎｇ  Ｔｅｒｍ  Ｅｖｏｌｕｔｉｏｎ  Ａｄｖａｎｃｅｄ、ＬＴＥ−Ａ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、発展型ロングタームエボリューション（ｅｖｏｌｖｅｄ  Ｌｏｎｇ  Ｔｅｒｍ  Ｅｖｏｌｕｔｉｏｎ、ｅＬＴＥ）システム、５Ｇシステム（例えば、新無線（Ｎｅｗ  Ｒａｄｉｏ、ＮＲ）システム）、及び他のモバイル通信システムなどの様々なモバイル通信システムに適用されることができる。
【００７８】
この出願におけるいくつかの用語について、当業者の理解を容易にするために以下で説明する。
【００７９】
（１）端末は、ユーザ機器（Ｕｓｅｒ  Ｅｑｕｉｐｍｅｎｔ、ＵＥ）とも呼ばれ、ユーザに音声及び／又はデータ接続性を与えるデバイス、例えば、ワイヤレス接続機能をもつハンドヘルドデバイス又は車載デバイスである。例えば、一般的な端末は、モバイルフォンと、タブレットコンピュータと、ノートブックコンピュータと、パームトップコンピュータと、モバイルインターネットデバイス（ｍｏｂｉｌｅ  ｉｎｔｅｒｎｅｔ  ｄｅｖｉｃｅ、ＭＩＤ）と、スマートウォッチ、スマートバンド、又は歩数計などのウェアラブルデバイスとを含む。
【００８０】
（２）ネットワークデバイスは、ＧＳＭシステム若しくはＣＤＭＡシステムにおける送受信基地局（Ｂａｓｅ  Ｔｒａｎｓｃｅｉｖｅｒ  Ｓｔａｔｉｏｎ、ＢＴＳ）、ＷＣＤＭＡシステムにおけるノードＢ（ＮｏｄｅＢ、ＮＢ）、ＬＴＥシステムにおける発展型ノードＢ（Ｅｖｏｌｖｅｄ  Ｎｏｄｅ  Ｂ、ｅＮＢ若しくはｅノードＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）におけるワイヤレスコントローラであり得る。代替として、ネットワークデバイスは、将来の５Ｇネットワークにおけるネットワークデバイス、例えば、ＮＲシステムにおけるｇＮＢ、スモールセル、マイクロセル、若しくはＴＲＰ（送信受信ポイント、ｔｒａｎｓｍｉｓｓｉｏｎ  ｒｅｃｅｐｔｉｏｎ  ｐｏｉｎｔ）であり得るか、又は将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）における中継局、アクセスポイント、若しくはネットワークデバイスなどの任意の他のワイヤレスアクセスデバイスであり得る。但し、この出願の実施形態は、それに限定されない。
【００８１】
（３）「複数の」という用語は、２つ以上を指す。「及び／又は」という用語は、関連する対象物について説明するための関連付け関係を表し、３つの関係が存在し得ることを表す。例えば、Ａ及び／又はＢは、以下の３つの場合を表し得る。Ａのみが存在し、ＡとＢとの両方が存在し、Ｂのみが存在する。文字「／」は、概して、関連する対象物間の「又は」の関係を示す。さらに、「第１の」、「第２の」、「第３の」などの用語が様々なメッセージ、要求、及び端末を説明するためにこの出願の実施形態において使用され得るが、これらのメッセージ、要求、及び端末がこれらの用語に限定されないことを理解されたい。これらの用語は、メッセージ、要求、及び端末の間を区別するために用いられるにすぎない。
【００８２】
図２は、この出願の一実施形態による、適用例シナリオの概略構造図である。図２に示すネットワーキングアーキテクチャは、主に、基地局１０１と端末１０２とを含む。基地局１０１は、低周波数（主に６ＧＨｚ未満）又は比較的高周波数（６ＧＨｚ超）を用いるミリメートル波帯域を用いることによって端末１０２と通信し得る。例えば、ミリメートル波帯域は、２８ＧＨｚ、３８ＧＨｚ、又は比較的小さいカバレージエリアをもつデータ平面の拡張帯域（Ｅｎｈａｎｃｅｄ  ｂａｎｄ）、例えば、７０ＧＨｚ超の帯域であり得る。基地局１０１によってカバーされた端末１０２は、低周波数又は比較的高周波数を用いるミリメートル波帯域を用いることによって基地局１０１と通信し得る。図２は簡略概略図の例にすぎず、ネットワークは図２に示されていない別のデバイスをさらに含み得る。
【００８３】
この出願の実施形態で提供される通信方法及び通信デバイスは、端末に適用されることができ、端末は、ハードウェアレイヤと、ハードウェアレイヤの上で動作するオペレーティングシステムレイヤと、オペレーティングシステムレイヤの上で動作するアプリケーションレイヤとを含む。ハードウェアレイヤは、中央処理ユニット（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）、及びメモリ（メインメモリとも呼ばれる）などのハードウェアを含む。オペレーティングシステムは、処理（Ｐｒｏｃｅｓｓ）を用いることによってサービス処理を実装するコンピュータオペレーティングシステム、例えば、Ｌｉｎｕｘオペレーティングシステム、Ｕｎｉｘオペレーティングシステム、アンドロイドオペレーティングシステム、ｉＯＳオペレーティングシステム、又はＷｉｎｄｏｗｓオペレーティングシステムのうちの任意の１つ又は複数であり得る。アプリケーションレイヤは、ブラウザ、連絡先リスト、ワードプロセッシングソフトウェア、及びインスタントメッセージングソフトウェアなどのアプリケーションを含む。
【００８４】
さらに、この出願の態様又は特徴は、標準的なプログラミング及び／又はエンジニアリング技術を使用する方法、装置、又は製品として実装され得る。この出願において用いられる「製品」という用語は、任意のコンピュータ可読構成要素、キャリア又は媒体からアクセスされることができるコンピュータプログラムを包含する。例えば、コンピュータ可読媒体は、限定はしないが、磁気ストレージ構成要素（例えば、ハードディスク、フロッピーディスク、若しくは磁気テープ）、光ディスク（例えば、コンパクトディスク（Ｃｏｍｐａｃｔ  Ｄｉｓｃ、ＣＤ）若しくはデジタル多用途ディスク（Ｄｉｇｉｔａｌ  Ｖｅｒｓａｔｉｌｅ  Ｄｉｓｃ、ＤＶＤ））、スマートカード、及びフラッシュメモリ構成要素（例えば、消去可能プログラマブル読取り専用メモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）、カード、スティック、若しくはキードライブ）を含み得る。さらに、本明細書に記載されている様々な記憶媒体は、情報を格納するための１つ又は複数のデバイス及び／又は他の機械可読媒体を示し得る。「機械可読媒体」という用語は、限定はしないが、命令及び／又はデータを記憶、包含、及び／又は搬送することができる様々なメディアを含み得る。
【００８５】
この出願をより良く理解するために、以下に、添付の図面を参照しながらこの出願について説明する。
実施形態１
【００８６】
図３は、ＬＴＥシステムにおけるリソースグリッド（ｒｅｓｏｕｒｃｅ  ｇｒｉｄ）の図である。図に示すように、チャネルは、ＬＴＥシステムにおいて無線フレームの単位で送信される。１つの無線フレーム（ｒａｄｉｏ  ｆｒａｍｅ）は、１０個のサブフレーム（ｓｕｂｆｒａｍｅ）を含み、各サブフレームの長さは、１ミリ秒（ｍｓ）であり、各サブフレームは、２つのタイムスロット（スロット）を含み、各スロットは、０．５ｍｓである。各スロット中に含まれるシンボルの数量は、サブフレーム中のＣＰ（サイクリックプレフィックス、ｃｙｃｌｉｃ  ｐｒｅｆｉｘ）の長さに関連付けられる。ＣＰがノーマル（ｎｏｒｍａｌ）ＣＰである場合、各スロットは、７つのシンボルを含み、各サブフレームは、１４個のシンボルを含む。ＣＰが拡張（ｅｘｔｅｎｄｅｄ）ＣＰである場合、各スロットは、６つのシンボルを含み、各サブフレームは、１２個のシンボルを含む。ダウンリンクシンボルは、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルと呼ばれる。ＬＴＥシステムでは、リソース要素（ｒｅｓｏｕｒｃｅ  ｅｌｅｍｅｎｔ、ＲＥ）は、時間周波数領域中の最小ユニットであり、インデックスペア（ｋ，ｌ）によって一意に識別され、ここで、ｋは、サブキャリアインデックスであり、ｌは、シンボルインデックスである。
【００８７】
既存のワイヤレス通信ネットワークと比較して、６ＧＨｚ超の範囲で動作する次世代ワイヤレス通信ネットワークは、より深刻な中間無線周波数のひずみ、特に、位相雑音の影響を被る。より高い位相雑音レベルは、より大きいＣＰＥの影響を生じる。従って、位相雑音推定のためにＰＴＲＳが導入される。
【００８８】
しかし、ＰＴＲＳは、いくつかのＲＥを占有し、占有されたＲＥは、最初に、データチャネル（アップリンク送信中、データチャネルは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を含み、ダウンリンク送信中、データチャネルは物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を含む）又は別の参照信号を送信するために用いられる。最もよくある例は、占有されたＲＥが、最初に、データチャネルを送信するために用いられるということである。この場合、ＰＴＲＳの総電力は、占有されたＲＥ中で最初に送信されるべきデータチャネルの総電力に等しくなる必要がある（この出願のこの実施形態における「電力」は、「送信電力」と等価である）。送信端の利用可能な総電力は事前構成される。従って、ＰＴＲＳの送信電力が占有されたＲＥ中で最初に送信されるべきデータチャネルの送信電力よりも大きい場合、利用可能な総電力が超過する。ＰＴＲＳの送信電力が占有されたＲＥ中で最初に送信されるべきデータチャネルの送信電力よりも小さい場合、電力浪費を生じる。もちろん、ＰＴＲＳの送信電力が占有されたＲＥ中で最初に送信されるべきデータチャネルの送信電力よりも僅かしか小さくないことが実現可能である（差はプリセットされた閾値を超えない）。
【００８９】
アップリンク送信の例では、ＰＴＲＳの送信電力が占有されたＲＥ中で最初に送信されるべきデータチャネルの送信電力に等しくなる場合、式（１）が得られ得る。
Ｎlayers×ＮRE/layers×ＰPUSCH＝ＮPTRSports×ＮRE/PTRSports×ＰPTRS（１）
【００９０】
Ｎlayersは、トランスポートレイヤの数量であり、ＮRE/layersは、（１つのリソースブロック（ｒｅｓｏｕｒｃｅ  ｂｌｏｃｋ、ＲＢ）と１つのＯＤＦＭシンボルとの単位での）ＰＴＲＳのために用いられることができない各トランスポートレイヤにおけるＲＥの数量であり、ＰPUSCHは、（１つのＲＥの単位での）トランスポートレイヤにおけるＰＵＳＣＨの電力であり、ＮPTRSportsは、ＰＴＲＳポート（ｐｏｒｔ）の数量であり、ＮRE/PTRSportsは、（１つのＲＢと１つのＯＤＦＭシンボルとの単位での）各ＰＴＲＳポートによって占有されるＲＥの数量であり（ここで、ＲＥの数量は、本明細書では１であると仮定する）、ＰPTRSは、（１つのＲＥの単位での）ＰＴＲＳの電力である。
【００９１】
式（２）が、式（１）に従ってさらに得られ得る。
【００９２】
【数９】
2020523904.tif 000023
【００９３】
ＮRE/layers＝ＮPTRSports×ＮRE/PTRSportsであるので、式（３）がさらに得られ得る。
【００９４】
【数１０】
2020523904.tif 000024
【００９５】
式（４）が、式（３）に従ってさらに得られ得る。
ＰＵＳＣＨに対するＰＴＲＳの相対電力比＝１０ｌｏｇ10（Ｎlayers）（４）
【００９６】
トランスポートレイヤの数量がＤＭＲＳポートの数量に等しくなるので、式（５）がさらに得られ得る。
ＰＵＳＣＨに対するＰＴＲＳの相対電力比＝１０ｌｏｇ10（ＮDMRSports）（５）
【００９７】
端末デバイスは、式（４）又は（５）による計算を通してＰＵＳＣＨに対するＰＴＲＳの相対電力比を取得し、最後に、ＰＵＳＣＨの電力に基づいてＰＴＲＳの電力を取得し、ＰＴＲＳの電力を用いることによってＰＴＲＳを送信し得る。
【００９８】
式（４）又は（５）による計算を通して、トランスポートレイヤの数量が１から８であり、ＤＭＲＳポートの数量が１から８であり、ＰＴＲＳポートの数量が、ＤＭＲＳポートの数量以下であるとき、ＰＵＳＣＨに対するＰＴＲＳの相対電力比は表（１）で示される、ということが学習されることができる。
【００９９】
【表１３】
2020523904.tif 000025
【０１００】
トランスポートレイヤの数量が１から１２であり、ＤＭＲＳポートの数量が１から１２であり、ＰＴＲＳポートの数量が、ＤＭＲＳポートの数量以下であるとき、表（１）がさらに拡張されてよく、ＰＵＳＣＨに対するＰＴＲＳの相対電力比は表（２）で示される。
【０１０１】
【表１４】
2020523904.tif 000026
【０１０２】
産業的実施を容易にするために、表（１）及び表（２）中でＰＵＳＣＨに対するＰＴＲＳの相対電力比に対して切捨てが実行され得る。例えば、トランスポートレイヤの数量が３であり、ＤＭＲＳポートの数量が３であるとき、ＰＵＳＣＨに対するＰＴＲＳの相対電力比４．７７に対して切捨てが実行されて、値４が得られ得る。代替として表（１）及び表（２）中でＰＵＳＣＨに対するＰＴＲＳの相対電力比について１桁の小数だけが保持され得る。例えば、トランスポートレイヤの数量が３であり、ＤＭＲＳポートの数量が３であるとき、ＰＵＳＣＨに対するＰＴＲＳの相対電力比４．７７について１桁の小数が保持されて、値４．７が得られ得る。切捨てが実行されるか、又は１桁の小数が保持されるときに四捨五入が実行されるのかどうかは、この出願のこの実施形態では限定されない。
【０１０３】
端末デバイスは、さらに、表（例えば、表（１）又は表（２））を探索してＰＵＳＣＨに対するＰＴＲＳの相対電力比を取得し、最後に、ＰＵＳＣＨの電力に基づいてＰＴＲＳの電力を取得し、ＰＴＲＳの電力を用いることによってＰＴＲＳを送信し得る。
【０１０４】
さらに、アップリンク送信の例では、ＤＭＲＳの送信電力が占有されたＲＥ中で最初に送信されるべきデータチャネルの送信電力に等しくなるとき、式（６）が得られ得る。
Ｎlayers×Ｎ’RE/layers×ＰPUSCH＝ＮDMRSports×ＮRE/DMRSports×ＰDMRS（６）
【０１０５】
Ｎlayersは、トランスポートレイヤの数量であり、ＮDMRSportsは、ＤＭＲＳポートの数量であり、Ｎ’RE/layersは、（１つのＲＢと１つのＯＦＤＭシンボルとの単位での）各トランスポートレイヤにおけるＲＥの数量であり（ここで、ＲＥの数量は、通常、１２である）、ＮRE/DMRSportsは、（１つのＲＢと１つのＯＦＤＭシンボルとの単位での）各ＤＭＲＳポートによって占有されるＲＥの数量であり、ＰDMRSは、（１つのＲＥの単位での）ＤＭＲＳの電力スペクトル密度（ｐｏｗｅｒ  ｓｐｅｃｔｒｕｍ  ｄｅｎｓｉｔｙ、ＰＳＤ）であり、ＰPUSCHは、（１つのＲＥの単位での）トランスポートレイヤにおけるＰＵＳＣＨの電力である。
【０１０６】
式（７）が、式（６）に従ってさらに得られ得る。
【０１０７】
【数１１】
2020523904.tif 000027
【０１０８】
トランスポートレイヤの数量がＤＭＲＳポートの数量に等しくなるので、式（８）が得られ得る。
【０１０９】
【数１２】
2020523904.tif 000028
【０１１０】
ＤDMRSは、ＤＭＲＳの周波数領域密度であり、
【０１１１】
【数１３】
2020523904.tif 000029
【０１１２】
に等しくなるので、式（９）が得られ得る。
【０１１３】
【数１４】
2020523904.tif 000030
【０１１４】
式（１０）が、式（９）に従ってさらに得られ得る。
【０１１５】
【数１５】
2020523904.tif 000031
【０１１６】
式（１１）が、式（３）及び式（９）に従ってさらに得られ得る。
【０１１７】
【数１６】
2020523904.tif 000032
【０１１８】
式（１２）が、式（１１）に従ってさらに得られ得る。
【０１１９】
【数１７】
2020523904.tif 000033
【０１２０】
式（１３）が、式（１２）に従ってさらに得られ得る。
ＤＭＲＳに対するＰＴＲＳの相対電力比＝１０ｌｏｇ10（ＮlayersＤDMRS）（１３）
【０１２１】
トランスポートレイヤの数量がＤＭＲＳポートの数量に等しくなるので、式（１４）がさらに得られ得る。
ＤＭＲＳに対するＰＴＲＳの相対電力比＝１０ｌｏｇ10（ＮDMRSportsＤDMRS）（１４）
【０１２２】
端末デバイスは、式（１３）又は（１４）による計算を通してＤＭＲＳに対するＰＴＲＳの相対電力比を取得し、最後に、ＤＭＲＳの電力に基づいてＰＴＲＳの電力を取得し、ＰＴＲＳの電力を用いることによってＰＴＲＳを送信し得る。
【０１２３】
式（１３）又は（１４）による計算を通して、トランスポートレイヤの数量が１から８であり、ＤＭＲＳポートの数量が１から８であり、ＰＴＲＳポートの数量が、ＤＭＲＳポートの数量以下であるとき、ＤＭＲＳに対するＰＴＲＳの相対電力比が表（３）で示される、ということが学習されることができる。
【０１２４】
【表１５】
2020523904.tif 000034
【０１２５】
トランスポートレイヤの数量が１から１２であり、ＤＭＲＳポートの数量が１から１２であり、ＰＴＲＳポートの数量が、ＤＭＲＳポートの数量以下であるとき、表（３）がさらに拡張されてよく、ＤＭＲＳに対するＰＴＲＳの相対電力比が表（４）に示される。
【０１２６】
【表１６】
2020523904.tif 000035
【０１２７】
ＤＭＲＳの周波数領域密度は、１／２又は１／３などの別の値であり得る。ＤＭＲＳの周波数領域密度がトランスポートレイヤの各数量又はＤＭＲＳポートの各数量について１／２、１／３、１／４、又は１／６であり得ると仮定すると、以下の表（５）が得られ得る。
【０１２８】
【表１７−１】
2020523904.tif 000036
【０１２９】
【表１７−２】
2020523904.tif 000037
【０１３０】
表（５）は、任意の分割使用のためにＤＭＲＳに対するＰＴＲＳの相対電力比を構成する多くの可能性を与える。これは、この出願のこの実施形態では限定されない。
【０１３１】
表（３）から表（５）では、トランスポートレイヤの数量がＤＭＲＳポートの数量に等しくなるので、最初の２列のうちの１つのみが保持されてよい。さらに、産業的実施を容易にするために、表（３）から表（５）中でＤＭＲＳに対するＰＴＲＳの相対電力比に対して切捨てが実行され得る。例えば、トランスポートレイヤの数量が９であり、ＤＭＲＳポートの数量が９であるとき、ＤＭＲＳに対するＰＴＲＳの相対電力比１．７６に対して切捨てが実行されて、値１が得られ得る。代替として表（３）から表（５）中でＤＭＲＳに対するＰＴＲＳの相対電力比について１桁の小数だけが保持され得る。例えば、トランスポートレイヤの数量が９であり、ＤＭＲＳポートの数量が９であるとき、ＰＵＳＣＨに対するＰＴＲＳの相対電力比１．７６について１桁の小数が保持されて、値１．７が得られ得る。切捨てが実行されるか、又は１桁の小数が保持されるときに四捨五入が実行されるのかどうかは、この出願のこの実施形態では限定されない。
【０１３２】
端末デバイスは、表（例えば、表（３）、表（４）又は表（５））を探索してＤＭＲＳに対するＰＴＲＳの相対電力比を取得し、最後に、ＤＭＲＳの電力に基づいてＰＴＲＳの電力を取得し、ＰＴＲＳの電力を用いることによってＰＴＲＳを送信し得る。
【０１３３】
この出願のこの実施形態における式導出処理では、（１つのＲＢと１つのＯＤＦＭシンボルとの単位での）各ＰＴＲＳポートによって占有されるＲＥの数量ＮRE/PTRSportsは１であると仮定する。但し、実装では、各ＰＴＲＳポートによって占有されるＲＥの数量は、代替として、１つのＲＢ及び１つのＯＤＦＭシンボルの中で１よりも大きく、即ち、ＮRE/PTRSports＞１となり得る。この場合、ＰＴＲＳの周波数領域密度を、式（１５）に示すように、別の変数として式（４）、式（５）、式（１３）、及び式（１４）に追加する必要がある。
ＰＵＳＣＨに対するＰＴＲＳの相対電力比＝１０ｌｏｇ10（ＮlayersＤPTRS）
ＰＵＳＣＨに対するＰＴＲＳの相対電力比＝１０ｌｏｇ10（ＮDMRSportsＤPTRS）
ＤＭＲＳに対するＰＴＲＳの相対電力比＝１０ｌｏｇ10（ＮlayersＤDMRSＤPTRS）
ＤＭＲＳに対するＰＴＲＳの相対電力比＝１０ｌｏｇ10（ＮDMRSportsＤDMRSＤPTRS）（１５）
【０１３４】
ＤPTRSは、ＰＴＲＳの周波数領域密度である。
【０１３５】
相応して、表（１）から表（５）中の相対電力比は、ＰＴＲＳの周波数領域密度とともに変化するが、式（１５）による計算から得られ得る。
【０１３６】
この出願のこの実施形態では、フォーマル（４）若しくは（５）による計算を通して又は表（１）若しくは表（２）を探索することによってＰＵＳＣＨに対するＰＴＲＳの相対電力比を取得した後に、端末デバイスは、最後に、ＰＵＳＣＨの電力と別のパラメータＯＦＦＳＥＴPTRS-PUSCHとに基づいてＰＴＲＳの電力を取得し、ＰＴＲＳの電力を用いることによってＰＴＲＳを送信し得る。ＯＦＦＳＥＴPTRS-PUSCHは、ＰＴＲＳの電力とＰＵＳＣＨの電力との間の基準オフセットを表し、基地局によって構成され得る。同様に、フォーマル（１３）若しくは（１４）による計算を通して又は表（３）若しくは表（５）を探索することによってＤＭＲＳに対するＰＴＲＳの相対電力比を取得した後に、端末デバイスは、最後に、ＰＵＳＣＨの電力と別のパラメータＯＦＦＳＥＴPTRS-DMRSとに基づいてＰＴＲＳの電力を取得し、ＰＴＲＳの電力を用いることによってＰＴＲＳを送信し得る。ＯＦＦＳＥＴPTRS-DMRSは、ＰＴＲＳの電力とＤＭＲＳの電力との間の基準オフセットを表し、基地局によって構成されてよく、ＯＦＦＳＥＴPTRS-PUSCHと、ＤＭＲＳの電力とＰＵＳＣＨの電力との間の基準オフセットＯＦＦＳＥＴDMRS-PUSCHとを蓄積することによって取得され得る。
【０１３７】
この出願のこの実施形態では、ＰＵＳＣＨに対するＰＴＲＳの相対電力比とＤＭＲＳに対するＰＴＲＳの相対電力比とは、プリセットされるか、又は基地局によって構成され得る。ＰＵＳＣＨに対するＰＴＲＳの相対電力比とＤＭＲＳに対するＰＴＲＳの相対電力比とを直接取得した後に、端末デバイスは、この出願のこの実施形態に記載されている方法を用いることによってＰＴＲＳの電力を取得する。
【０１３８】
この出願のこの実施形態では、基地局は、ＰＴＲＳの最大電力ＰMAXをさらに構成し得る。この出願のこの実施形態における任意の式による計算を通して端末デバイスによって取得されるＰＴＲＳの電力がＰMAXよりも大きいとき、端末デバイスは、ＰMAXを用いることによってＰＴＲＳを送信する。
【０１３９】
次に、この出願のこの実施形態では、式（４）、式（５）、式（１３）、及び式（１４）並びに表（１）から表（５）は、例を用いることによって検証される。以下の例では、ＤＭＲＳポートは、異なる水晶発振器に基づいてグループ化され、同じ局部発振器のＤＭＲＳポートは、１つのグループにグループ化され、このグループ中の全てのポートの位相雑音は、１つのポート上でＰＴＲＳを用いることによって測定され得る。
【０１４０】
図４Ａは、この出願の一実施形態による、パイロットパターンの概略図である（アップリンク送信、１つのトランスポートレイヤ、１つのＤＭＲＳポート、及び１つのＰＴＲＳポート）。ＰＴＲＳのそのような時間周波数リソースマッピング方式では、ＰＴＲＳの電力とＰＵＳＣＨの電力とが調和しており、ＰＵＳＣＨに対するＰＴＲＳの相対電力比が０ｄＢであることが図４Ａから学習されることができる。
【０１４１】
図４Ｂ−１及び図４Ｂ−２は、この出願の一実施形態による、パイロットパターンの概略図である（アップリンク送信、２つのトランスポートレイヤ、２つのＤＭＲＳポート、及び１つのＰＴＲＳポート、ここで、２つのＤＭＲＳポートが１つのグループにグループ化される）。図４Ｂ−１が、トランスポートレイヤ１のパイロットパターンの概略図であり、図４Ｂ−２が、トランスポートレイヤ２のパイロットパターンの概略図であることが図４Ｂ−１及び図４Ｂ−２から学習されることができる。２レイヤ送信が実行されるので、各レイヤにおけるＰＵＳＣＨの電力は総電力の１／２にすぎず、ＰＴＲＳは、総電力を用いることによって１つのポートのみによって送信される。従って、ＰＵＳＣＨに対するＰＴＲＳの相対電力比は、３ｄＢである。
【０１４２】
図４Ｃ−１及び図４Ｃ−２は、この出願の一実施形態による、パイロットパターンの概略図である（アップリンク送信、２つのトランスポートレイヤ、２つのＤＭＲＳポート、及び２つのＰＴＲＳポート、ここで、２つのＤＭＲＳポートが２つのグループにグループ化される）。図４Ｃ−１が、トランスポートレイヤ１のパイロットパターンの概略図であり、図４Ｃ−２が、トランスポートレイヤ２のパイロットパターンの概略図であることが図４Ｃ−１及び図４Ｃ−２から学習されることができる。ＰＴＲＳとデータとの間での直交性仮定のために、トランスポートレイヤ１においてＰＴＲＳを送信するためのＲＥは、トランスポートレイヤ２においてデータにマッピングされることができない。従って、ＰＴＲＳの送信電力を増加させるために使用不可なＲＥの電力が使用され得る。即ち、総電力を一貫して保つために、各レイヤにおいて送信されるＰＴＲＳの電力は、データチャネルの２倍の電力であるべきである。
【０１４３】
この出願のこの実施形態における全ての式及び表が図４Ａから図４Ｃ−２中で検証されるということが学習されることができ、これは、トランスポートレイヤの数量、ＤＭＲＳポートの数量、及びＰＴＲＳポートの数量の他の例についても真である。本明細書で列挙を提供しない。図４Ａから図４Ｃ−２中の「その他」は、ＲＥがデータチャネル、別の参照信号又はその他の信号若しくは別の参照信号にマッピングされるのかどうかは限定されないことを意味する。「使用不可」は、ＲＥが使用不可であるか、又はＰＴＲＳとデータチャネルとの直交多重化のためにデータマッピングのために用いられることができないことを意味する。
【０１４４】
図５は、この出願の一実施形態による、送信電力決定方法の概略フローチャートである。図５に示されているように、方法は以下のステップを含む。
【０１４５】
Ｓ５０．端末デバイスは、ＰＵＳＣＨに対するＰＴＲＳの相対電力比を決定する。
【０１４６】
端末デバイスは、この出願のこの実施形態において提供される式に従って若しくはこの出願のこの実施形態において提供される表を探索することによってＰＵＳＣＨに対するＰＴＲＳの相対電力比を決定し得るか、又は端末デバイスは、ＤＭＲＳに対するＰＴＲＳの相対電力比をさらに決定し得る。
【０１４７】
Ｓ５１．端末デバイスは、ＰＴＲＳの送信電力を決定する。
【０１４８】
端末デバイスは、ＰＵＳＣＨに対するＰＴＲＳの相対電力比とＰＵＳＣＨの送信電力とに基づいてＰＴＲＳの送信電力を決定するか、又はＤＭＲＳに対するＰＴＲＳの相対電力比とＤＭＲＳの送信電力とに基づいてＰＴＲＳの送信電力を決定する。
【０１４９】
Ｓ５２．端末デバイスは、決定された送信電力を用いることによってＰＴＲＳを送信する。
【０１５０】
アップリンク送信は、この出願のこの実施形態における説明のための例として用いられる。ダウンリンク送信の場合、新無線（ｎｅｗ  ｒａｄｉｏ、ＮＲ）が、ＤＭＲＳのアップリンク−ダウンリンク対称型のパイロットパターンとＰＴＲＳのアップリンク−ダウンリンク対称型のパイロットパターンとを用いるので、関連する「ＰＵＳＣＨ」が「ＰＤＳＣＨ」に置き換わると仮定して、この出願のこの実施形態における全ての式と表とがダウンリンクＰＴＲＳ電力の決定にも適用可能である。
【０１５１】
この出願のこの実施形態では、基地局デバイスがパイロットパターンを取得した後、送信されるべきＰＴＲＳのパイロットパターンが、別の送信されるべき参照信号（即ち、ＰＴＲＳ以外の参照信号）のパイロットパターンと競合するとき、言い換えれば、送信されるべきＰＴＲＳと別の送信されるべき参照信号とが同じＲＥ又はいくつかの同じＲＥ（競合するＲＥ）を占有する必要があることをパイロットパターンが示すとき、任意選択で、ＰＴＲＳは、別の参照信号のＲＥを占有することを許可されず、即ち、別の参照信号を送信する優先度は、ＰＴＲＳを送信する優先度より高い。この場合、基地局デバイスは、競合するＲＥに別の送信されるべき参照信号をマッピングし、競合するＲＥ上で別の参照信号のみを送信する。ＰＴＲＳの送信電力は、上記の実施形態に記載されている方法を用いることによって決定され得る。
【０１５２】
代替として、送信されるべきＰＴＲＳは、別の送信されるべき参照信号のＲＥを占有することを許可される。この場合、基地局デバイスは、競合するＲＥに、送信されるべきＰＴＲＳをマッピングし、競合するＲＥ上でＰＴＲＳのみを送信する。さらに、（送信されるべきＰＴＲＳにマッピングされた競合するＲＥを除く）別の参照信号を送信するために最初に用いられるＲＥの電力が、ＰＴＲＳの電力を増加させるために用いられ得る。
【０１５３】
概して、この出願のこの実施形態では、データにマッピングされないＲＥ（この出願のこの実施形態では、データマッピングのために用いられることができないＲＥ、データマッピングのために用いられないＲＥ、データにマッピングされないＲＥ、及びミュートされたＲＥの表現は同じ意味を有する）の電力が、ＰＴＲＳの電力を増加させるために用いられる。データへの増分の後にＰＴＲＳの相対電力比（「ＰＴＲＳの電力とデータの電力との間で差と呼ばれることもある）は、トランスポートレイヤの数量の対数に等しくなり（トランスポートレイヤの数量は、マルチレイヤの送信中に２以上になり）、即ち、１０ｌｏｇ10（Ｎlayers）になる。ＰＴＲＳポートの数量がＤＭＲＳポートの数量に等しくなるとき、ＵＥの異なるトランスポートレイヤにおけるＰＴＲＳ及びデータの直交多重化を保証するために、特定のトランスポートレイヤにおけるいくつかのＲＥは、データにマッピングされず、データにマッピングされないこれらのＲＥの電力はトランスポートレイヤにおいてＰＴＲＳの電力を増加させるために用いられる。この場合、各トランスポートレイヤにおけるデータに対するＰＴＲＳの相対電力比は、トランスポートレイヤの数量の対数に等しくなる。ＰＴＲＳポートの数量がＤＭＲＳポートの数量よりも少ないとき、電力は、レイヤにわたって「借用され」得る。即ち、データにマッピングされない特定のトランスポートレイヤにおけるＲＥの電力は、別のトランスポートレイヤにおけるＰＴＲＳの電力を増加させるために用いられ、ＰＴＲＳのトランスポートレイヤにおけるデータに対するＰＴＲＳの送信電力の相対電力比は、トランスポートレイヤの数量の対数に等しくなる。
【０１５４】
この出願のこの実施形態では、送信端デバイスは、最初に、表を探索することによって又は計算を通してデータチャネルに対する又はＤＭＲＳに対するＰＴＲＳの相対電力比を取得し、データチャネルの送信電力又はＤＭＲＳの送信電力に基づいてＰＴＲＳの送信電力を決定し、送信電力を用いることによってＰＴＲＳを送信し、従って、異なる数量のＤＭＲＳポートと、異なる数量のＰＴＲＳポートと、異なるポート多重化方式構成とがフレキシブルに適応されることができ、それによって、効率的なエネルギー使用を保証する。
【０１５５】
図６は、この出願の一実施形態による、通信デバイス６０のハードウェアの概略構造図である。図６に示されているように、通信デバイス６０は、メモリ６１と、プロセッサ６２と、送信機６３とを含む。
【０１５６】
メモリ６１は、コンピュータ動作命令を含むプログラムコードを記憶するように構成される。
【０１５７】
プロセッサ６２は、コンピュータ動作命令を実行して、次の動作、即ち、
データチャネルに対する位相トラッキング参照信号ＰＴＲＳの相対電力比又は復調参照信号ＤＭＲＳに対するＰＴＲＳの相対電力比を決定することであって、データチャネルに対するＰＴＲＳの相対電力比は、第１の関数と第１の変数とを用いることによって決定され、ＤＭＲＳに対するＰＴＲＳの相対電力比は、第２の関数と、第１の変数と、第２の変数とを用いることによって決定され、第１の変数は、トランスポートレイヤの数量又はＤＭＲＳポートの数量を含み、第２の変数は、ＤＭＲＳの周波数領域密度を含む、ことと、
データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定することと
を実行するように構成される。
【０１５８】
送信機６３は、ＰＴＲＳの送信電力を用いることによって別の通信デバイスにＰＴＲＳを送信するように構成される。
【０１５９】
任意選択で、プロセッサ６２は、コンピュータ動作命令を実行して、次の動作、即ち、
データチャネルに対する位相トラッキング参照信号ＰＴＲＳの相対電力比又は復調参照信号ＤＭＲＳに対するＰＴＲＳの相対電力比を決定するために表を探索することと、
データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定することと
を実行するようにさらに構成される。
実施形態２
【０１６０】
送信端が最初にデータチャネルに対する又はＤＭＲＳに対するＰＴＲＳの相対電力比を取得し、次いで、データチャネルの送信電力又はＤＭＲＳの送信電力に基づいてＰＴＲＳの送信電力を決定する実施形態１とは異なり、この出願のこの実施形態では、ＰＴＲＳの送信電力は、計算を通して直接取得される。
【０１６１】
ＬＴＥシステムでは、アップリンク送信電力は、異なる変調及び符号化方式（Ｍｏｄｕｌａｔｉｏｎ  ａｎｄ  Ｃｏｄｉｎｇ  Ｓｃｈｅｍｅ、ＭＣＳ）に基づいて、ＰＵＳＣＨ上でのデータ送信のビット誤り率が１０％に達するときに必要とされる信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）の要件を満たす必要がある。基地局デバイスは、この要件に基づいてＰＵＳＣＨの送信電力を決定する。
【０１６２】
アップリンク送信の例では、データチャネルの送信電力を計算するための式は、
【０１６３】
【数１８】
2020523904.tif 000038
【０１６４】
であり得る。
【０１６５】
式（１６）において、ｉは、サブフレーム番号（又はタイムスロット番号又はシンボル番号）を表し、ｃは、セル番号（又はビーム番号又はビームグループ番号）を表し、ｊは、プリセットされた値を表し、プリセットされるか、又は基地局デバイスによって構成されてよく、
ＰPUSCH,c（ｉ）は、サブフレームｉ中でセルｃにＰＵＳＣＨを送信するために端末デバイスによって用いられる送信電力を表し、
【０１６６】
【数１９】
2020523904.tif 000039
【０１６７】
は、ＰCMAX,c（ｉ）の線形値であり、ＰCMAX,c（ｉ）は、端末デバイスの利用可能な送信電力を表し、
【０１６８】
【数２０】
2020523904.tif 000040
【０１６９】
は、ＰPUCCH（ｉ）の線形値であり、ＰPUCCH（ｉ）は、サブフレームｉ中でＰＵＣＣＨを送信するために端末デバイスによって用いられる送信電力を表し、
ＭPUSCH,c（ｉ）は、サブフレームｉ中のＰＵＳＣＨリソースによって占有される帯域幅を表し、ＲＢの数量の単位であり、
ＰO_PUSCH,c（ｊ）は、ＰＵＳＣＨの基準電力を表し、
ＰO_PUSCH,c（ｊ）＝ＰO_UE_PUSCH,c（ｊ）＋ＰO_NOMINAL_PUSCH,c（ｊ）であり、ここで、ＰO_NOMINAL_PUSCH,c（ｊ）は、セルｃ中での半静的な送信電力基準を表し、通常、セル中の全ての端末デバイスのために基地局デバイスによって構成される共通の値であり、ＰO_UE_PUSCH,c（ｊ）は、セルｃ中の各端末デバイスの準静的な送信電力基準の電力オフセットを表し、通常、各端末デバイスのために基地局デバイスによって構成される特定の値であり、
αc（ｊ）は、経路損失の補償度を表し、
ＰＬcは、端末デバイスがセルｃの参照信号（例えば、チャネル状態情報−参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、セル固有参照信号（Ｃｅｌｌ−ｓｐｅｃｉｆｉｃ  Ｒｅｆｅｒｅｎｃｅ  Ｓｉｇｎａｌｓ、ＣＲＳ）、又は同期信号ブロック（Ｓｙｎｃｈｒｏｎｉｚａｔｉｏｎ  Ｓｉｇｎａｌ  Ｂｌｏｃｋ、略してＳＳブロック））を測定した後に取得される経路損失値を表し、
ΔTF,c（ｉ）は、各ＲＢの送信電力が、送信フォーマットに従って情報データ送信レートに適応することが許可されることを表し、
ｆc（ｉ）は、累積値と絶対値とに分類され得る端末デバイスに固有の閉ループ電力制御を表す。用いられるべきモードは、基地局デバイスによって構成されるａｃｃｕｍｕｌａｔｉｏｎＥｎａｂｌｅ（ＴＰＣ蓄積が用いられるのかどうか）パラメータを用いることによって決定される。ＴＰＣ蓄積が用いられる場合、ｆc（ｉ）＝ｆc（ｉ−１）＋δPUSCH,c（ｉ−ΚPUSCH）であり、即ち、ｆc（ｉ）は、ｉ番目のサブフレームの前の累積されたＴＰＣ値と（ｉ−ＫPUSCH）番目のサブフレーム中で受信されたダウンリンク制御情報（Ｄｏｗｎｌｉｎｋ  Ｃｏｎｔｒｏｌ  Ｉｎｆｏｒｍａｔｉｏｎ、ＤＣＩ）によって示されるＴＰＣ値δPUSCH,cとの和である。
【０１７０】
この出願のこの実施形態では、データ復調を支援するために位相トラッキングのためにＰＴＲＳが用いられることを考慮すると、ＰＴＲＳの送信電力が計算を通して直接取得されるとき、送信電力決定方法は、式（１６）中のいくつかのパラメータに基づいて取得され得る。方法は以下のステップを含む。
【０１７１】
端末デバイスは、プリセットされた調整パラメータとＰＴＲＳの送信帯域幅とを取得する。
【０１７２】
端末デバイスは、ＰＴＲＳの送信電力を決定し、ここで、ＰＴＲＳの送信電力は、少なくともプリセットされた関数と、調整パラメータと、ＰＴＲＳの送信帯域幅とを用いることによって決定される。
【０１７３】
端末デバイスは、ＰＴＲＳの送信電力を用いることによって基地局デバイスにＰＴＲＳを送信する。
【０１７４】
この出願のこの実施形態では、データ復調を支援するために位相トラッキングのためにＰＴＲＳが用いられることを考慮すると、ＰＴＲＳの送信電力が計算を通して直接取得されるとき、ＰＴＲＳの送信電力は、以下の式に従って式（１６）中のいくつかのパラメータに基づいて決定され得る。
【０１７５】
【数２１】
2020523904.tif 000041
【０１７６】
式（１７）において、パラメータＰCMAX,c（ｉ）、ＰO_PUSCH,c（ｊ）、αc（ｊ）、ＰＬc、及びｆc（ｉ）は全て、式（１６）から再利用される。さらに、ＰPTRS,c（ｉ）は、サブフレームｉ中でセルｃにＰＴＲＳを送信するために端末デバイスによって用いられる送信電力を含み、値がｄＢｍの単位であるＰＴＲＳの送信電力を表し、ＭPTRS,cは、ＰＴＲＳの送信帯域幅を表し、ＰPTRS_OFFSET,c（ｍ）は、現在の調整パラメータを表し、ｍは、０又は１に等しい。
【０１７７】
この出願のこの実施形態では、基地局デバイスは、ＲＲＣシグナリング又はＤＣＩを用いることによってパラメータを構成又はプリセットし得る。
【０１７８】
この出願のこの実施形態では、ＰＴＲＳの送信電力は、計算を通して直接取得され、従って、端末デバイスは、ＰＴＲＳの送信電力を好都合に決定することができる。
実施形態３
【０１７９】
この出願のこの実施形態は、計算を通してＰＴＲＳの送信電力を直接取得するための別の方法を提供する。方法は以下のステップを含む。
【０１８０】
端末デバイスは、ＰＴＲＳの基準電力を取得する。
【０１８１】
端末デバイスは、ＰＴＲＳの送信電力を決定し、ここで、ＰＴＲＳの送信電力は、少なくともプリセットされた関数とＰＴＲＳの基準電力とを用いることによって決定される。
【０１８２】
端末デバイスは、ＰＴＲＳの送信電力を用いることによって基地局デバイスにＰＴＲＳを送信する。
【０１８３】
端末デバイスは、以下の式に従ってＰＴＲＳの送信電力を決定し得る。
【０１８４】
【数２２】
2020523904.tif 000042
【０１８５】
式（１８）において、パラメータＰPTRS,c（ｉ）、ＰCMAX,c（ｉ）、αc（ｊ）、及びＰＬcの意味は、式（１７）中のパラメータのものと同じである。さらに、ＰO_PTRS,c（ｊ）は、ＰＴＲＳの基準電力を表し、ＰO_PTRS,c（ｊ）＝ＰO_NOMINAL_PTRS＋ＰO_UE_PTRSであり、ここで、ＰO_NOMINAL_PTRSは、セルｃ中の全ての端末デバイスのために基地局デバイスによって構成された共通の値を表し、ＰO_UE_PTRSは、セルｃ中の各端末デバイスのために基地局デバイスによって構成された特定の値を表す。
【０１８６】
さらに、パラメータｇ（ｉ）が式（１８）にさらに追加されてよく、従って、各端末デバイスは、以下の式に示すように、端末デバイスの条件に基づいてＰＴＲＳの送信電力を調整することができる。
【０１８７】
【数２３】
2020523904.tif 000043
【０１８８】
ここで、ｇ（ｉ）は、端末デバイスに固有の調整パラメータを表す。
【０１８９】
さらに、パラメータｈ（ｎRS）、ΔPTRS（Ｆ）、及びΔTxD（ＮPTRS-port）が以下の式を取得するために式（１８）にさらに追加され得る。
【０１９０】
【数２４】
2020523904.tif 000044
【０１９１】
式（２０）において、ｎRSは、ＰＴＲＳの優先度パラメータを表し、ｈ（ｎRS）は、ｎRSを用いることによって端末デバイスによって取得される電力オフセットを表し、
Ｆは、パイロットパターンを表し、ΔPTRS（Ｆ）は、パイロットパターンに対応する調整値を表し、異なるパイロットパターンは、異なる調整値に対応し、
ＮPTRS-portは、ＰＴＲＳを送信するためのアンテナポートの数量を表し、ΔTxD（ＮPTRS-port）は、アンテナポートの数量に対応する電力調整値を表し、アンテナポートの異なる数量は異なる調整値に対応する。
【０１９２】
この出願のこの実施形態では、ＰＴＲＳの送信電力は、計算を通して直接取得され、従って、端末デバイスは、ＰＴＲＳの送信電力を好都合に決定することができる。
【０１９３】
実施形態２及び実施形態３において提供される送信電力決定方法は、図６に示す通信デバイスによって実行され得る。例えば、メモリ６１は、コンピュータ動作命令を含むプログラムコードを記憶するように構成される。プロセッサ６２は、必要とされるパラメータを取得し、パラメータと式（１７）から（２０）とを用いることによってＰＴＲＳの送信電力を取得するように構成される。送信機６３は、ＰＴＲＳの送信電力を用いることによって別の通信デバイスにＰＴＲＳを送信するように構成される。
【０１９４】
この出願の一実施形態は、上記のプロセッサによって実行される必要があるコンピュータソフトウェア命令を記憶するように構成されたコンピュータ可読記憶媒体をさらに提供する。コンピュータソフトウェア命令は、上記のプロセッサによって実行される必要があるプログラムを含む。
【０１９５】
この出願の実施形態が方法、システム、又はコンピュータプログラム製品として提供され得ることを、当業者は理解されたい。従って、この出願は、ハードウェアのみの実施形態、ソフトウェアのみの実施形態、又はソフトウェアとハードウェアとの組合せを用いる実施形態の形態を用い得る。さらに、本発明は、コンピュータが使用可能なプログラムコードを含む（限定はしないが、ディスクメモリ、光メモリなどを含む）１つ又は複数のコンピュータが使用可能な記憶媒体上に実装されるコンピュータプログラム製品の形態を使用し得る。
【０１９６】
この出願について、この出願による方法、デバイス（システム）、及びコンピュータプログラム製品のフローチャート及び／又はブロック図を参照しながら説明する。コンピュータプログラム命令が、フローチャート及び／又はブロック図中の各処理及び／又は各ブロック並びにフローチャート及び／又はブロック図中の処理及び／又はブロックの組合せを実装するために使用され得ることを理解されたい。これらのコンピュータプログラム命令は、機械を生成するために汎用コンピュータ、専用コンピュータ、組込みプロセッサ、又は任意の他のプログラマブルデータ処理デバイスのプロセッサのために与えられてよく、従って、コンピュータ又は任意の他のプログラマブルデータ処理デバイスのプロセッサによって実行される命令は、フローチャート中の１つ又は複数の処理中の及び／又はブロック図中の１つ又は複数のブロック中の特定の機能を実装するための装置を生成する。
【０１９７】
これらのコンピュータプログラム命令は、コンピュータ又は任意の他のプログラマブルデータ処理デバイスに特定の方式で動作するように命令することができるコンピュータ可読メモリ中に記憶されてよく、従って、コンピュータ可読メモリ中に記憶された命令は、命令装置を含むアーティファクトを生成する。命令装置は、フローチャート中の１つ又は複数の処理中の及び／又はブロック図中の１つ又は複数のブロック中の特定の機能を実装する。
【０１９８】
これらのコンピュータプログラム命令は、コンピュータ又は別のプログラマブルデータ処理デバイス上にロードされてよく、従って、一連の動作及びステップが、コンピュータ又は別のプログラマブルデバイスに対して実行され、それによって、コンピュータ実施処理を生成する。従って、コンピュータ又は別のプログラマブルデバイス上で実行される命令は、フローチャート中の１つ又は複数の処理中の及び／又はブロック図中の１つ又は複数のブロック中の特定の機能を実装するためのステップを与える。
【０１９９】
明らかに、当業者は、この出願の趣旨及び範囲から逸脱することなくこの出願に様々な修正及び変更することができる。この出願のこれらの修正及び変更が、添付の特許請求の範囲及びそれらの等価な技術によって定義された保護の範囲内に入るという条件で、この出願は、この出願のこれらの修正及び変更をカバーするものである。
【図１Ａ】
2020523904.tif 000071
【図１Ｂ】
2020523904.tif 000072
【図１Ｃ】
2020523904.tif 000073
【図２】
2020523904.tif 000074
【図３】
2020523904.tif 000075
【図４Ａ】
2020523904.tif 000076
【図４Ｂ−１】
2020523904.tif 000077
【図４Ｂ−２】
2020523904.tif 000078
【図４Ｃ−１】
2020523904.tif 000079
【図４Ｃ−２】
2020523904.tif 000080
【図５】
2020523904.tif 000081
【図６】
2020523904.tif 000082
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
第１のデバイスによって、データチャネルに対する位相トラッキング参照信号（ＰＴＲＳ）の相対電力比を決定するステップと、
前記第１のデバイスによって、前記データチャネルに対する前記ＰＴＲＳの前記相対電力比に基づいて前記ＰＴＲＳの送信電力を決定するステップと、
前記第１のデバイスによって、前記ＰＴＲＳの前記送信電力を用いることによって第２のデバイスに前記ＰＴＲＳを送信するステップと、を含み、
アップリンク送信又はダウンリンク送信中、トランスポートレイヤの数量が１であるとき、前記データチャネルに対する前記ＰＴＲＳの前記相対電力比は０ｄＢである
送信電力決定方法。
【請求項２】
前記第１のデバイスによって、前記データチャネルに対する前記ＰＴＲＳの前記相対電力比に基づいて前記ＰＴＲＳの送信電力を決定する前記ステップは、
前記第１のデバイスによって、前記データチャネルに対する前記ＰＴＲＳの前記相対電力比と前記データチャネルの送信電力とに基づいて前記ＰＴＲＳの前記送信電力を決定するステップを含む、
請求項１に記載の方法。
【請求項３】
前記アップリンク送信又は前記ダウンリンク送信中、トランスポートレイヤの前記数量が２であるとき、前記データチャネルに対する前記ＰＴＲＳの前記相対電力比は３ｄＢである、
請求項１に記載の方法。
【請求項４】
前記アップリンク送信又は前記ダウンリンク送信中、トランスポートレイヤの前記数量が３であるとき、前記データチャネルに対する前記ＰＴＲＳの前記相対電力比は４．７７ｄＢである、
請求項１に記載の方法。
【請求項５】
前記アップリンク送信又は前記ダウンリンク送信中、トランスポートレイヤの前記数量が４であるとき、前記データチャネルに対する前記ＰＴＲＳの前記相対電力比は６ｄＢである請求項１に記載の方法。
【請求項６】
前記ダウンリンク送信中、トランスポートレイヤの前記数量が５であるとき、前記データチャネルに対する前記ＰＴＲＳの前記相対電力比は７ｄＢである、
請求項１に記載の方法。
【請求項７】
前記ダウンリンク送信中、トランスポートレイヤの前記数量が６であるとき、前記データチャネルに対する前記ＰＴＲＳの前記相対電力比は７．７８ｄＢである、
請求項１に記載の方法。
【請求項８】
データチャネルに対する位相トラッキング参照信号（ＰＴＲＳ）の相対電力比を決定し、前記データチャネルに対する前記ＰＴＲＳの前記相対電力比に基づいて前記ＰＴＲＳの送信電力を決定するように構成された、プロセッサと、
前記ＰＴＲＳの前記送信電力を用いることによって他のデバイスに前記ＰＴＲＳを送信するように構成された、送信機と、を備え、
アップリンク送信又はダウンリンク送信中、トランスポートレイヤの数量が１であるとき、前記データチャネルに対する前記ＰＴＲＳの前記相対電力比は０ｄＢである
通信装置。
【請求項９】
前記プロセッサは、前記データチャネルに対する前記ＰＴＲＳの前記相対電力比と前記データチャネルの送信電力とに基づいて前記ＰＴＲＳの前記送信電力を決定するように特に構成された、
請求項８に記載の装置。
【請求項１０】
前記アップリンク送信又は前記ダウンリンク送信中、トランスポートレイヤの前記数量が２であるとき、前記データチャネルに対する前記ＰＴＲＳの前記相対電力比は３ｄＢである、
請求項８に記載の装置。
【請求項１１】
前記アップリンク送信又は前記ダウンリンク送信中、トランスポートレイヤの前記数量が３であるとき、前記データチャネルに対する前記ＰＴＲＳの前記相対電力比は４．７７ｄＢである、
請求項８に記載の装置。
【請求項１２】
前記アップリンク送信又は前記ダウンリンク送信中、トランスポートレイヤの前記数量が４であるとき、前記データチャネルに対する前記ＰＴＲＳの前記相対電力比は６ｄＢである、
請求項８に記載の装置。
【請求項１３】
前記ダウンリンク送信中、トランスポートレイヤの前記数量が５であるとき、前記データチャネルに対する前記ＰＴＲＳの前記相対電力比は７ｄＢである、
請求項８に記載の装置。
【請求項１４】
前記ダウンリンク送信中、トランスポートレイヤの前記数量が６であるとき、前記データチャネルに対する前記ＰＴＲＳの前記相対電力比は７．７８ｄＢである、
請求項８に記載の装置。
【請求項１５】
コンピュータプログラムが記憶されるコンピュータ記憶媒体であって、プロセッサによって実行されているときに、前記プログラムは、請求項１〜７のいずれか１項に記載の前記方法を実装するコンピュータ記憶媒体。
【請求項１６】
命令を含むコンピュータプログラムであって、前記コンピュータプログラムがコンピュータ上で動作するとき、前記コンピュータは、請求項１〜７のいずれか１項に記載の前記方法を実行することが可能になる、コンピュータプログラム。
【請求項１７】
通信装置であって、
コンピュータプログラムを格納するメモリと、
前記コンピュータプログラムを実行して前記装置に、請求項１〜７のいずれか１項に記載の前記方法を実施させるように構成された、プロセッサと、
を備える、通信装置。
【請求項１８】
請求項１〜７のいずれか１項に記載の前記方法が実施されるようにメモリのコンピュータプログラムを実行する、ように構成されたプロセッサを備える、通信装置。
【請求項１９】
コンピュータによって実行されたとき、請求項１〜７のいずれか１項に記載の前記方法を実施する、コンピュータプログラム。
【手続補正２】
【補正対象書類名】明細書
【補正対象項目名】全文
【補正方法】変更
【補正の内容】
【発明の詳細な説明】
【技術分野】
【０００１】
本開示は、通信技術の分野に関し、特に、送信電力決定方法、処理チップ、及び通信デバイスに関する。
【背景技術】
【０００２】
ロングタームエボリューション（Ｌｏｎｇ  Ｔｅｒｍ  Ｅｖｏｌｕｔｉｏｎ、ＬＴＥ）と比較して、５Ｇ通信システムではより高いキャリア周波数（略して、高周波数）が用いられる。現在の標準は、高周波数は通常６ＧＨｚ超であると規定しており、また、より広い帯域幅及びより高い送信レートを用いるワイヤレス通信を実現するために現在最も研究されている帯域は、２８ＧＨｚ、３８ＧＨｚ、７２ＧＨｚなどである。しかし、従来の低周波数通信と比較して、高周波数システムは、より深刻な中間無線周波数のひずみ、特に、位相雑音の影響を有する。さらに、ドップラーシフト及び搬送周波数オフセット（Ｃａｒｒｉｅｒ  Ｆｒｅｑｕｅｎｃｙ  Ｏｆｆｓｅｔ、ＣＦＯ）の影響が周波数とともに増加する。
【０００３】
多入力多出力直交周波数分割多重（ＭＩＭＯ−ＯＦＤＭ）の例では、受信端の位相雑音及び搬送周波数オフセットの両方と送信端のそれらとが考慮され、受信端が高速フーリエ変換（Ｆａｓｔ  Ｆｏｕｒｉｅｒ  Ｔｒａｎｓｆｏｒｍ、ＦＦＴ）を実行した後のｋ番目のサブキャリア上のｎ番目の受信アンテナの受信式は、
【０００４】
【数１】
2020523904.tif 000083
【０００５】
であり、ここで、
【０００６】
【数２】
2020523904.tif 000084
【０００７】
即ち、
【０００８】
【数３】
2020523904.tif 000085
【０００９】
である。
【００１０】
【数４】
2020523904.tif 000086
【００１１】
は、ｋ番目のサブキャリア上のｍ番目の送信アンテナからｎ番目の受信アンテナまでのチャネルを表し、
【００１２】
【数５】
2020523904.tif 000087
【００１３】
は、ｋ番目のサブキャリア上のｍ番目の送信アンテナを用いることによって送信されたデータを表し、
【００１４】
【数６】
2020523904.tif 000088
【００１５】
は、ｋ番目のサブキャリア上のｎ番目の受信アンテナの雑音を表し、
【００１６】
【数７】
2020523904.tif 000089
【００１７】
は、ｋ番目のサブキャリア上のｎ番目の受信アンテナのための受信端の位相雑音とＣＦＯとによって生じる位相偏移を表し、
【００１８】
【数８】
2020523904.tif 000090
【００１９】
は、ｋ番目のサブキャリア上のｍ番目の送信アンテナのための送信端の位相雑音とＣＦＯとによって生じる位相偏移を表す。ＯＦＤＭパフォーマンスに対する位相雑音の影響が、主に、共通位相誤差（Ｃｏｍｍｏｎ  Ｐｈａｓｅ  Ｅｒｒｏｒ、ＣＰＥ）とキャリア間干渉（Ｉｎｔｅｒ−ｃａｒｒｉｅｒ  Ｉｎｔｅｒｆｅｒｅｎｃｅ、ＩＣＩ）との２つの態様に反映され、ＯＦＤＭパフォーマンスに対するＣＦＯの影響が、主に、ＩＣＩに反映されることが式から学習されることができる。実際のシステムでは、パフォーマンスに対するＩＣＩの影響は、パフォーマンスに対するＣＰＥの影響よりも小さい。従って、ＣＰＥは、位相雑音補償方式において優先的に補償される。
【００２０】
図１Ａは、６４ＱＡＭ変調信号が位相雑音によって影響されないコンスタレーションポイントを示す。図１Ｂは、２Ｇ帯域上の６４直交振幅変調（ＱＡＭ）信号が位相雑音によって影響されるコンスタレーションポイントを示す。図１Ｃは、２８Ｇ帯域上の６４ＱＡＭ変調信号が位相雑音によって影響されるコンスタレーションポイントを示す。図１Ａから図１Ｃに示すように、位相雑音は例として使用され、位相雑音レベルは、２０×ｌｏｇ(f1/f2)のレベルで帯域とともに劣化する。２Ｇ帯域と２８Ｇ帯域とは例として使用され、２８Ｇ帯域の位相雑音レベルは、２３ｄＢだけ２Ｇ帯域の位相雑音レベルより高い。より高い位相雑音レベルは、共通位相誤差（ＣＰＥ）のより大きい影響を生じ、ＣＰＥは、より大きい位相誤差を生じる。
【００２１】
ＣＰＥは、同じＯＦＤＭシンボルの異なるサブキャリアに対して同じ影響を課し、異なるサブキャリア上の位相誤差は白色ガウス雑音のために異なる。従って、周波数領域において、位相補償参照信号（Ｐｈａｓｅ  ｃｏｍｐｅｎｓａｔｉｏｎ  Ｒｅｆｅｒｅｎｃｅ  Ｓｉｇｎａｌ、ＰＣＲＳ）（位相トラッキング参照信号（Ｐｈａｓｅ  ｔｒａｃｋｉｎｇ  Ｒｅｆｅｒｅｎｃｅ  Ｓｉｇｎａｌ、ＰＴＲＳ）と呼ばれることもあり、ここで、ＰＣＲＳは当業界では現在一律に名前がつけられていないが、以後便宜上本開示ではＰＴＲＳと一律に呼ぶ）の特定の数量は、白色ガウス雑音の影響をできる限り低減するためにＣＰＥを推定し、平均を計算するために用いられる必要がある。
【００２２】
現在、ＰＴＲＳの送信電力をどのように決定するかは、緊急に解決される必要がある技術的問題である。
【発明の概要】
【００２３】
この出願の実施形態は、異なる数量の復調参照信号（ＤＭＲＳ）ポートと、異なる数量のＰＴＲＳポートと、異なるポート多重化方式構成とにフレキシブルに適応するために送信電力決定方法を提供し、それによって、効率的なエネルギーの使用を保証し、ＰＴＲＳの測定精度を改善する。
【００２４】
第１の態様によれば、この出願の一実施形態は、第１のデバイスによって、データチャネルに対する位相トラッキング参照信号ＰＴＲＳの相対電力比又は復調参照信号ＤＭＲＳに対するＰＴＲＳの相対電力比を決定するステップであって、データチャネルに対するＰＴＲＳの相対電力比は、第１の関数と第１の変数とを用いることによって決定され、ＤＭＲＳに対するＰＴＲＳの相対電力比は、第２の関数と、第１の変数と、第２の変数とを用いることによって決定され、第１の変数は、トランスポートレイヤの数量又はＤＭＲＳポートの数量を含み、第２の変数は、ＤＭＲＳの周波数領域密度を含む、ステップと、第１のデバイスによって、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定するステップと、第１のデバイスによって、ＰＴＲＳの送信電力を用いることによって第２のデバイスにＰＴＲＳを送信するステップとを含む送信電力決定方法を提供する。
【００２５】
第１の態様によれば、可能な実装では、第１のデバイスは、端末デバイスを含み、第２のデバイスは、基地局デバイスを含み、データチャネルは、物理アップリンク共有チャネル（ＰＵＳＣＨ）を含む。
【００２６】
第１の態様によれば、可能な実装では、第１のデバイスは、基地局デバイスを含み、第２のデバイスは、端末デバイスを含み、データチャネルは、物理ダウンリンク共有チャネル（ＰＤＳＣＨ）を含む。
【００２７】
第１の態様及び第１の態様の全ての可能な実装によれば、可能な実装では、データチャネルに対するＰＴＲＳの相対電力比が第１の関数と第１の変数とを用いることによって決定されることは、
データチャネルに対するＰＴＲＳの相対電力比＝１０ｌｏｇ10（Ｘ）であること
を含み、Ｘは、第１の変数を構成する。
【００２８】
第１の態様及び第１の態様の全ての可能な実装によれば、可能な実装では、ＤＭＲＳに対するＰＴＲＳの相対電力比が第２の関数と、第１の変数と、第２の変数とを用いることによって決定されることは、
ＤＭＲＳに対するＰＴＲＳの相対電力比＝１０ｌｏｇ10（ＸＹ）であること
を含み、Ｘは、第１の変数を構成し、Ｙは、第２の変数を構成する。
【００２９】
第２の態様によれば、この出願の一実施形態は、第１のデバイスによって、データチャネルに対する位相トラッキング参照信号（ＰＴＲＳ）の相対電力比又は復調参照信号（ＤＭＲＳ）に対するＰＴＲＳの相対電力比を決定するために表を探索するステップと、第１のデバイスによって、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定するステップと、第１のデバイスによって、ＰＴＲＳの送信電力を用いることによって第２のデバイスにＰＴＲＳを送信するステップと、を含む送信電力決定方法を提供する。
【００３０】
第２の態様によれば、可能な実装では、第１のデバイスは、端末デバイスを含み、第２のデバイスは、基地局デバイスを含み、データチャネルは、物理アップリンク共有チャネル（ＰＵＳＣＨ）を含む。
【００３１】
第２の態様によれば、可能な実装では、第１のデバイスは、基地局デバイスを含み、第２のデバイスは、端末デバイスを含み、データチャネルは、物理ダウンリンク共有チャネル（ＰＤＳＣＨ）を含む。
【００３２】
第２の態様及び第２の態様の全ての可能な実装によれば、可能な実装では、第１のデバイスによって、データチャネルに対するＰＴＲＳの相対電力比を決定するために表を探索するステップは、
第１のデバイスによって、データチャネルに対するＰＴＲＳの相対電力比を決定するために次の表、即ち
【００３３】
【表１】
2020523904.tif 000091
【００３４】
又は
【００３５】
【表２】
2020523904.tif 000092
【００３６】
を探索するステップを含む。
【００３７】
第２の態様及び第２の態様の全ての可能な実装によれば、可能な実装では、第１のデバイスによって、データチャネルに対するＰＴＲＳの相対電力比を決定するために表を探索するステップは、
第１のデバイスによって、データチャネルに対するＰＴＲＳの相対電力比を決定するために次の表、即ち
【００３８】
【表３】
2020523904.tif 000093
【００３９】
又は
【００４０】
【表４】
2020523904.tif 000094
【００４１】
を探索するステップを含む。
【００４２】
第２の態様及び第２の態様の全ての可能な実装によれば、可能な実装では、第１のデバイスによって、ＤＭＲＳに対するＰＴＲＳの相対電力比を決定するために表を探索するステップは、
第１のデバイスによって、ＤＭＲＳに対するＰＴＲＳの相対電力比を決定するために次の表、即ち
【００４３】
【表５】
2020523904.tif 000095
【００４４】
又は
【００４５】
【表６】
2020523904.tif 000096
【００４６】
を探索するステップを含む。
【００４７】
第３の態様によれば、この出願の一実施形態は、データチャネルに対する位相トラッキング参照信号（ＰＴＲＳ）の相対電力比又は復調参照信号（ＤＭＲＳ）に対するＰＴＲＳの相対電力比を決定することであって、データチャネルに対するＰＴＲＳの相対電力比は、第１の関数と第１の変数とを用いることによって決定され、ＤＭＲＳに対するＰＴＲＳの相対電力比は、第２の関数と、第１の変数と、第２の変数とを用いることによって決定され、第１の変数は、トランスポートレイヤの数量又はＤＭＲＳポートの数量を含み、第２の変数は、ＤＭＲＳの周波数領域密度を含む、ことと、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定することと、を行うように構成された処理チップを提供する。
【００４８】
第３の態様によれば、可能な実装では、データチャネルは、物理アップリンク共有チャネル（ＰＵＳＣＨ）又は物理ダウンリンク共有チャネル（ＰＤＳＣＨ）を含む。
【００４９】
第３の態様及び第３の態様の全ての可能な実装によれば、可能な実装では、データチャネルに対するＰＴＲＳの相対電力比が第１の関数と第１の変数とを用いることによって決定されることは、
データチャネルに対するＰＴＲＳの相対電力比＝１０ｌｏｇ10（Ｘ）であること
を含み、Ｘは、第１の変数を構成する。
【００５０】
第３の態様及び第３の態様の全ての可能な実装によれば、可能な実装では、ＤＭＲＳに対するＰＴＲＳの相対電力比が第２の関数と、第１の変数と、第２の変数とを用いることによって決定されることは、
ＤＭＲＳに対するＰＴＲＳの相対電力比＝１０ｌｏｇ10（ＸＹ）であること
を含み、Ｘは、第１の変数を構成し、Ｙは、第２の変数を構成する。
【００５１】
第４の態様によれば、この出願の一実施形態は、データチャネルに対する位相トラッキング参照信号（ＰＴＲＳ）の相対電力比又は復調参照信号（ＤＭＲＳ）に対するＰＴＲＳの相対電力比を決定するために表を探索し、データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定するように構成された処理チップを提供する。
【００５２】
第４の態様によれば、可能な実装では、データチャネルは、物理アップリンク共有チャネル（ＰＵＳＣＨ）を含む。
【００５３】
第４の態様及び第４の態様の全ての可能な実装によれば、可能な実装では、データチャネルは、物理ダウンリンク共有チャネル（ＰＤＳＣＨ）を含む。
【００５４】
第４の態様及び第４の態様の全ての可能な実装によれば、可能な実装では、データチャネルに対するＰＴＲＳの相対電力比を決定するために表を探索することは、
データチャネルに対するＰＴＲＳの相対電力比を決定するために次の表、即ち
【００５５】
【表７】
2020523904.tif 000097
【００５６】
又は
【００５７】
【表８】
2020523904.tif 000098
【００５８】
を探索すること、を含む。
【００５９】
第４の態様及び第４の態様の全ての可能な実装によれば、可能な実装では、データチャネルに対するＰＴＲＳの相対電力比を決定するために表を探索することは、
データチャネルに対するＰＴＲＳの相対電力比を決定するために次の表、即ち
【００６０】
【表９】
2020523904.tif 000099
【００６１】
又は
【００６２】
【表１０】
2020523904.tif 000100
【００６３】
を探索すること、を含む。
【００６４】
第４の態様及び第４の態様の全ての可能な実装によれば、可能な実装では、ＤＭＲＳに対するＰＴＲＳの相対電力比を決定するために表を探索することは、
ＤＭＲＳに対するＰＴＲＳの相対電力比を決定するために次の表、即ち
【００６５】
【表１１】
2020523904.tif 000101
【００６６】
又は
【００６７】
【表１２】
2020523904.tif 000102
【００６８】
を探索すること、を含む。
【００６９】
第５の態様によれば、この出願は、プロセッサと送信機とを含む通信デバイスを提供する。通信デバイスは、第１の態様及び第１の態様の全ての可能な実装において提供される方法を実行するように構成される。
【００７０】
第６の態様によれば、この出願は、プロセッサと送信機とを含む通信デバイスを提供する。通信デバイスは、第２の態様及び第２の態様の全ての可能な実装において提供される方法を実行するように構成される。
【００７１】
第７の態様によれば、この出願は、第１のデバイスによって、複数のトランスポートレイヤにデータをマッピングするステップであって、複数のトランスポートレイヤは、第１のトランスポートレイヤを含み、第１のトランスポートレイヤは、第１のＲＥセットと第２のＲＥセットとに対応しており、第１のＲＥセットと第２のＲＥセットとはそれぞれ、複数のＲＥを含み、第１のＲＥセット中の各ＲＥは、位相トラッキング参照信号ＰＴＲＳにマッピングされ、第２のＲＥセット中の各ＲＥは、データマッピングのために用いられることができない、ステップと、第２のＲＥセット中の全てのＲＥの電力を用いることによって第１のデバイスによって、第１のＲＥセット中の全てのＲＥにマッピングされたＰＴＲＳの送信電力を増加させるステップと、第１のデバイスによって、増加された送信電力を用いることによってＰＴＲＳを送信するステップとを含む、送信電力決定方法を提供する。
【００７２】
第８の態様によれば、この出願の一実施形態は、複数のトランスポートレイヤにデータをマッピングすることであって、複数のトランスポートレイヤは、第１のトランスポートレイヤを含み、第１のトランスポートレイヤは、第１のＲＥセットと第２のＲＥセットとに対応しており、第１のＲＥセットと第２のＲＥセットとはそれぞれ、複数のＲＥを含み、第１のＲＥセット中の各ＲＥは、位相トラッキング参照信号（ＰＴＲＳ）にマッピングされ、第２のＲＥセット中の各ＲＥは、データマッピングのために用いられることができない、ことと、第２のＲＥセット中の全てのＲＥの電力を用いることによって、第１のＲＥセット中の全てのＲＥにマッピングされたＰＴＲＳの送信電力を増加させることと、を行うように構成されたプロセッサと、増加された送信電力を用いることによってＰＴＲＳを送信するように構成された送信機と、を含む通信デバイスを提供する。
【００７３】
この出願の実施形態では、送信端デバイスは、最初に、表を探索することによって又は計算を通してデータチャネルに対する又はＤＭＲＳに対するＰＴＲＳの相対電力比を取得し、データチャネルの送信電力又はＤＭＲＳの送信電力に基づいてＰＴＲＳの送信電力を決定し、送信電力を用いることによってＰＴＲＳを送信し、従って、異なる数量のＤＭＲＳポートと、異なる数量のＰＴＲＳポートと、異なるポート多重化方式構成とがフレキシブルに適応されることができ、それによって、効率的なエネルギー使用を保証する。
【図面の簡単な説明】
【００７４】
本開示の実施形態における技術的な解決法をより明確に説明するために、以下、実施形態又は従来技術を説明するために必要とされる添付の図面を簡単に説明する。以下の説明における添付の図面が本開示のいくつかの実施形態を示すものにすぎないことは明らかであり、当業者は、創造的な努力なしにこれらの添付の図面から他の図面を導き得る。
【００７５】
【図１Ａ】６４ＱＡＭ変調信号が位相雑音によって影響されないコンスタレーションポイントを示す図である。
【図１Ｂ】２Ｇ帯域上の６４ＱＡＭ変調信号が位相雑音によって影響されるコンスタレーションポイントを示す図である。
【図１Ｃ】２８Ｇ帯域上の６４ＱＡＭ変調信号が位相雑音によって影響されるコンスタレーションポイントを示す図である。
【図２】この出願の一実施形態による、適用例シナリオの概略構造図である。
【図３】ＬＴＥシステムにおけるリソースグリッド（ｒｅｓｏｕｒｃｅ  ｇｒｉｄ）の図である。
【図４Ａ】この出願の一実施形態による、パイロットパターンの概略図である（アップリンク送信、１つのトランスポートレイヤ、１つのＤＭＲＳポート、及び１つのＰＴＲＳポート）。
【図４Ｂ−１】この出願の一実施形態による、パイロットパターンの概略図である（アップリンク送信、２つのトランスポートレイヤ、２つのＤＭＲＳポート、及び１つのＰＴＲＳポート、ここで、２つのＤＭＲＳポートが１つのグループにグループ化される）。
【図４Ｂ−２】この出願の一実施形態による、パイロットパターンの概略図である（アップリンク送信、２つのトランスポートレイヤ、２つのＤＭＲＳポート、及び１つのＰＴＲＳポート、ここで、２つのＤＭＲＳポートが１つのグループにグループ化される）。
【図４Ｃ−１】この出願の一実施形態による、パイロットパターンの概略図である（アップリンク送信、２つのトランスポートレイヤ、２つのＤＭＲＳポート、及び２つのＰＴＲＳポート、ここで、２つのＤＭＲＳポートが２つのグループにグループ化される）。
【図４Ｃ−２】この出願の一実施形態による、パイロットパターンの概略図である（アップリンク送信、２つのトランスポートレイヤ、２つのＤＭＲＳポート、及び２つのＰＴＲＳポート、ここで、２つのＤＭＲＳポートが２つのグループにグループ化される）。
【図５】この出願の一実施形態による、送信電力決定方法の概略フローチャートである。
【図６】この出願の一実施形態による、通信デバイスのハードウェアの概略構造図である。
【発明を実施するための形態】
【００７６】
以下に、添付の図面を参照しながらこの出願についてさらに詳細に説明する。
【００７７】
この出願の実施形態は、モバイル通信用グローバルシステム（ＧＳＭ）、符号分割多元接続（ＣＤＭＡ）システム、広帯域符号分割多元接続（ＷＣＤＭＡ）システム、汎用パケット無線サービス（ＧＰＲＳ）、ロングタームエボリューション（ＬＴＥ）システム、ロングタームエボリューションアドバンスト（ＬＴＥ−Ａ）システム、ユニバーサルモバイル通信システム（ＵＭＴＳ）、発展型ロングタームエボリューション（ｅＬＴＥ）システム、５Ｇシステム（例えば、新無線（ＮＲ）システム）、及び他のモバイル通信システムなどの様々なモバイル通信システムに適用されることができる。
【００７８】
この出願におけるいくつかの用語について、当業者の理解を容易にするために以下で説明する。
【００７９】
（１）端末は、ユーザ機器（ＵＥ）とも呼ばれ、ユーザに音声及び／又はデータ接続性を与えるデバイス、例えば、ワイヤレス接続機能をもつハンドヘルドデバイス又は車載デバイスである。例えば、一般的な端末は、モバイルフォンと、タブレットコンピュータと、ノートブックコンピュータと、パームトップコンピュータと、モバイルインターネットデバイス（ＭＩＤ）と、スマートウォッチ、スマートバンド、又は歩数計などのウェアラブルデバイスとを含む。
【００８０】
（２）ネットワークデバイスは、ＧＳＭシステム若しくはＣＤＭＡシステムにおける送受信基地局（ＢＴＳ）、ＷＣＤＭＡシステムにおけるノードＢ（ＮＢ）、ＬＴＥシステムにおける発展型ノードＢ（ｅＮＢ若しくはｅノードＢ）、又はクラウド無線アクセスネットワーク（ＣＲＡＮ）におけるワイヤレスコントローラであり得る。代替として、ネットワークデバイスは、将来の５Ｇネットワークにおけるネットワークデバイス、例えば、ＮＲシステムにおけるｇＮＢ、スモールセル、マイクロセル、若しくはＴＲＰ（送信受信ポイント）であり得るか、又は将来の発展型パブリックランドモバイルネットワーク（ＰＬＭＮ）における中継局、アクセスポイント、若しくはネットワークデバイスなどの任意の他のワイヤレスアクセスデバイスであり得る。但し、この出願の実施形態は、それに限定されない。
【００８１】
（３）「複数の」という用語は、２つ以上を指す。「及び／又は」という用語は、関連する対象物について説明するための関連付け関係を表し、３つの関係が存在し得ることを表す。例えば、Ａ及び／又はＢは、以下の３つの場合を表し得る。Ａのみが存在し、ＡとＢとの両方が存在し、Ｂのみが存在する。文字「／」は、概して、関連する対象物間の「又は」の関係を示す。さらに、「第１の」、「第２の」、「第３の」などの用語が様々なメッセージ、要求、及び端末を説明するためにこの出願の実施形態において使用され得るが、これらのメッセージ、要求、及び端末がこれらの用語に限定されないことを理解されたい。これらの用語は、メッセージ、要求、及び端末の間を区別するために用いられるにすぎない。
【００８２】
図２は、この出願の一実施形態による、適用例シナリオの概略構造図である。図２に示すネットワーキングアーキテクチャは、主に、基地局１０１と端末１０２とを含む。基地局１０１は、低周波数（主に６ＧＨｚ未満）又は比較的高周波数（６ＧＨｚ超）を用いるミリメートル波帯域を用いることによって端末１０２と通信し得る。例えば、ミリメートル波帯域は、２８ＧＨｚ、３８ＧＨｚ、又は比較的小さいカバレージエリアをもつデータ平面の拡張帯域（Ｅｎｈａｎｃｅｄ  ｂａｎｄ）、例えば、７０ＧＨｚ超の帯域であり得る。基地局１０１によってカバーされた端末１０２は、低周波数又は比較的高周波数を用いるミリメートル波帯域を用いることによって基地局１０１と通信し得る。図２は簡略概略図の例にすぎず、ネットワークは図２に示されていない別のデバイスをさらに含み得る。
【００８３】
この出願の実施形態で提供される通信方法及び通信デバイスは、端末に適用されることができ、端末は、ハードウェアレイヤと、ハードウェアレイヤの上で動作するオペレーティングシステムレイヤと、オペレーティングシステムレイヤの上で動作するアプリケーションレイヤとを含む。ハードウェアレイヤは、中央処理ユニット（ＣＰＵ）、メモリ管理ユニット（ＭＭＵ）、及びメモリ（メインメモリとも呼ばれる）などのハードウェアを含む。オペレーティングシステムは、処理（Ｐｒｏｃｅｓｓ）を用いることによってサービス処理を実装するコンピュータオペレーティングシステム、例えば、Ｌｉｎｕｘオペレーティングシステム、Ｕｎｉｘオペレーティングシステム、アンドロイドオペレーティングシステム、ｉＯＳオペレーティングシステム、又はＷｉｎｄｏｗｓオペレーティングシステムのうちの任意の１つ又は複数であり得る。アプリケーションレイヤは、ブラウザ、連絡先リスト、ワードプロセッシングソフトウェア、及びインスタントメッセージングソフトウェアなどのアプリケーションを含む。
【００８４】
さらに、この出願の態様又は特徴は、標準的なプログラミング及び／又はエンジニアリング技術を使用する方法、装置、又は製品として実装され得る。この出願において用いられる「製品」という用語は、任意のコンピュータ可読構成要素、キャリア又は媒体からアクセスされることができるコンピュータプログラムを包含する。例えば、コンピュータ可読媒体は、限定はしないが、磁気ストレージ構成要素（例えば、ハードディスク、フロッピーディスク、若しくは磁気テープ）、光ディスク（例えば、コンパクトディスク（ＣＤ）若しくはデジタル多用途ディスク（ＤＶＤ））、スマートカード、及びフラッシュメモリ構成要素（例えば、消去可能プログラマブル読取り専用メモリ（ＥＰＲＯＭ）、カード、スティック、若しくはキードライブ）を含み得る。さらに、本明細書に記載されている様々な記憶媒体は、情報を格納するための１つ又は複数のデバイス及び／又は他の機械可読媒体を示し得る。「機械可読媒体」という用語は、限定はしないが、命令及び／又はデータを記憶、包含、及び／又は搬送することができる様々なメディアを含み得る。
【００８５】
この出願をより良く理解するために、以下に、添付の図面を参照しながらこの出願について説明する。
実施形態１
【００８６】
図３は、ＬＴＥシステムにおけるリソースグリッドの図である。図に示すように、チャネルは、ＬＴＥシステムにおいて無線フレームの単位で送信される。１つの無線フレームは、１０個のサブフレームを含み、各サブフレームの長さは、１ミリ秒（ｍｓ）であり、各サブフレームは、２つのタイムスロット（スロット）を含み、各スロットは、０．５ｍｓである。各スロット中に含まれるシンボルの数量は、サブフレーム中のＣＰ（サイクリックプレフィックス）の長さに関連付けられる。ＣＰがノーマルＣＰである場合、各スロットは、７つのシンボルを含み、各サブフレームは、１４個のシンボルを含む。ＣＰが拡張ＣＰである場合、各スロットは、６つのシンボルを含み、各サブフレームは、１２個のシンボルを含む。ダウンリンクシンボルは、直交周波数分割多重（ＯＦＤＭ）シンボルと呼ばれる。ＬＴＥシステムでは、リソース要素（ｒｅｓｏｕｒｃｅ  ｅｌｅｍｅｎｔ、ＲＥ）は、時間周波数領域中の最小ユニットであり、インデックスペア（ｋ，ｌ）によって一意に識別され、ここで、ｋは、サブキャリアインデックスであり、ｌは、シンボルインデックスである。
【００８７】
既存のワイヤレス通信ネットワークと比較して、６ＧＨｚ超の範囲で動作する次世代ワイヤレス通信ネットワークは、より深刻な中間無線周波数のひずみ、特に、位相雑音の影響を被る。より高い位相雑音レベルは、より大きいＣＰＥの影響を生じる。従って、位相雑音推定のためにＰＴＲＳが導入される。
【００８８】
しかし、ＰＴＲＳは、いくつかのＲＥを占有し、占有されたＲＥは、最初に、データチャネル（アップリンク送信中、データチャネルは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を含み、ダウンリンク送信中、データチャネルは物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を含む）又は別の参照信号を送信するために用いられる。最もよくある例は、占有されたＲＥが、最初に、データチャネルを送信するために用いられるということである。この場合、ＰＴＲＳの総電力は、占有されたＲＥ中で最初に送信されるべきデータチャネルの総電力に等しくなる必要がある（この出願のこの実施形態における「電力」は、「送信電力」と等価である）。送信端の利用可能な総電力は事前構成される。従って、ＰＴＲＳの送信電力が占有されたＲＥ中で最初に送信されるべきデータチャネルの送信電力よりも大きい場合、利用可能な総電力が超過する。ＰＴＲＳの送信電力が占有されたＲＥ中で最初に送信されるべきデータチャネルの送信電力よりも小さい場合、電力浪費を生じる。もちろん、ＰＴＲＳの送信電力が占有されたＲＥ中で最初に送信されるべきデータチャネルの送信電力よりも僅かしか小さくないことが実現可能である（差はプリセットされた閾値を超えない）。
【００８９】
アップリンク送信の例では、ＰＴＲＳの送信電力が占有されたＲＥ中で最初に送信されるべきデータチャネルの送信電力に等しくなる場合、式（１）が得られ得る。
Ｎlayers×ＮRE/layers×ＰPUSCH＝ＮPTRSports×ＮRE/PTRSports×ＰPTRS（１）
【００９０】
Ｎlayersは、トランスポートレイヤの数量であり、ＮRE/layersは、（１つのリソースブロック（ｒｅｓｏｕｒｃｅ  ｂｌｏｃｋ、ＲＢ）と１つのＯＦＤＭシンボルとの単位での）ＰＴＲＳのために用いられることができない各トランスポートレイヤにおけるＲＥの数量であり、ＰPUSCHは、（１つのＲＥの単位での）トランスポートレイヤにおけるＰＵＳＣＨの電力であり、ＮPTRSportsは、ＰＴＲＳポートの数量であり、ＮRE/PTRSportsは、（１つのＲＢと１つのＯＦＤＭシンボルとの単位での）各ＰＴＲＳポートによって占有されるＲＥの数量であり（ここで、ＲＥの数量は、本明細書では１であると仮定する）、ＰPTRSは、（１つのＲＥの単位での）ＰＴＲＳの電力である。
【００９１】
式（２）が、式（１）に従ってさらに得られ得る。
【００９２】
【数９】
2020523904.tif 000103
【００９３】
ＮRE/layers＝ＮPTRSports×ＮRE/PTRSportsであるので、式（３）がさらに得られ得る。
【００９４】
【数１０】
2020523904.tif 000104
【００９５】
式（４）が、式（３）に従ってさらに得られ得る。
ＰＵＳＣＨに対するＰＴＲＳの相対電力比＝１０ｌｏｇ10（Ｎlayers）（４）
【００９６】
トランスポートレイヤの数量がＤＭＲＳポートの数量に等しくなるので、式（５）がさらに得られ得る。
ＰＵＳＣＨに対するＰＴＲＳの相対電力比＝１０ｌｏｇ10（ＮDMRSports）（５）
【００９７】
端末デバイスは、式（４）又は（５）による計算を通してＰＵＳＣＨに対するＰＴＲＳの相対電力比を取得し、最後に、ＰＵＳＣＨの電力に基づいてＰＴＲＳの電力を取得し、ＰＴＲＳの電力を用いることによってＰＴＲＳを送信し得る。
【００９８】
式（４）又は（５）による計算を通して、トランスポートレイヤの数量が１から８であり、ＤＭＲＳポートの数量が１から８であり、ＰＴＲＳポートの数量が、ＤＭＲＳポートの数量以下であるとき、ＰＵＳＣＨに対するＰＴＲＳの相対電力比は表（１）で示される、ということが学習されることができる。
【００９９】
【表１３】
2020523904.tif 000105
【０１００】
トランスポートレイヤの数量が１から１２であり、ＤＭＲＳポートの数量が１から１２であり、ＰＴＲＳポートの数量が、ＤＭＲＳポートの数量以下であるとき、表（１）がさらに拡張されてよく、ＰＵＳＣＨに対するＰＴＲＳの相対電力比は表（２）で示される。
【０１０１】
【表１４】
2020523904.tif 000106
【０１０２】
産業的実施を容易にするために、表（１）及び表（２）中でＰＵＳＣＨに対するＰＴＲＳの相対電力比に対して切捨てが実行され得る。例えば、トランスポートレイヤの数量が３であり、ＤＭＲＳポートの数量が３であるとき、ＰＵＳＣＨに対するＰＴＲＳの相対電力比４．７７に対して切捨てが実行されて、値４が得られ得る。代替として表（１）及び表（２）中でＰＵＳＣＨに対するＰＴＲＳの相対電力比について１桁の小数だけが保持され得る。例えば、トランスポートレイヤの数量が３であり、ＤＭＲＳポートの数量が３であるとき、ＰＵＳＣＨに対するＰＴＲＳの相対電力比４．７７について１桁の小数が保持されて、値４．７が得られ得る。切捨てが実行されるか、又は１桁の小数が保持されるときに四捨五入が実行されるのかどうかは、この出願のこの実施形態では限定されない。
【０１０３】
端末デバイスは、さらに、表（例えば、表（１）又は表（２））を探索してＰＵＳＣＨに対するＰＴＲＳの相対電力比を取得し、最後に、ＰＵＳＣＨの電力に基づいてＰＴＲＳの電力を取得し、ＰＴＲＳの電力を用いることによってＰＴＲＳを送信し得る。
【０１０４】
さらに、アップリンク送信の例では、ＤＭＲＳの送信電力が占有されたＲＥ中で最初に送信されるべきデータチャネルの送信電力に等しくなるとき、式（６）が得られ得る。
Ｎlayers×Ｎ’RE/layers×ＰPUSCH＝ＮDMRSports×ＮRE/DMRSports×ＰDMRS（６）
【０１０５】
Ｎlayersは、トランスポートレイヤの数量であり、ＮDMRSportsは、ＤＭＲＳポートの数量であり、Ｎ’RE/layersは、（１つのＲＢと１つのＯＦＤＭシンボルとの単位での）各トランスポートレイヤにおけるＲＥの数量であり（ここで、ＲＥの数量は、通常、１２である）、ＮRE/DMRSportsは、（１つのＲＢと１つのＯＦＤＭシンボルとの単位での）各ＤＭＲＳポートによって占有されるＲＥの数量であり、ＰDMRSは、（１つのＲＥの単位での）ＤＭＲＳの電力スペクトル密度（ｐｏｗｅｒ  ｓｐｅｃｔｒｕｍ  ｄｅｎｓｉｔｙ、ＰＳＤ）であり、ＰPUSCHは、（１つのＲＥの単位での）トランスポートレイヤにおけるＰＵＳＣＨの電力である。
【０１０６】
式（７）が、式（６）に従ってさらに得られ得る。
【０１０７】
【数１１】
2020523904.tif 000107
【０１０８】
トランスポートレイヤの数量がＤＭＲＳポートの数量に等しくなるので、式（８）が得られ得る。
【０１０９】
【数１２】
2020523904.tif 000108
【０１１０】
ＤDMRSは、ＤＭＲＳの周波数領域密度であり、
【０１１１】
【数１３】
2020523904.tif 000109
【０１１２】
に等しくなるので、式（９）が得られ得る。
【０１１３】
【数１４】
2020523904.tif 000110
【０１１４】
式（１０）が、式（９）に従ってさらに得られ得る。
【０１１５】
【数１５】
2020523904.tif 000111
【０１１６】
式（１１）が、式（３）及び式（９）に従ってさらに得られ得る。
【０１１７】
【数１６】
2020523904.tif 000112
【０１１８】
式（１２）が、式（１１）に従ってさらに得られ得る。
【０１１９】
【数１７】
2020523904.tif 000113
【０１２０】
式（１３）が、式（１２）に従ってさらに得られ得る。
ＤＭＲＳに対するＰＴＲＳの相対電力比＝１０ｌｏｇ10（ＮlayersＤDMRS）（１３）
【０１２１】
トランスポートレイヤの数量がＤＭＲＳポートの数量に等しくなるので、式（１４）がさらに得られ得る。
ＤＭＲＳに対するＰＴＲＳの相対電力比＝１０ｌｏｇ10（ＮDMRSportsＤDMRS）（１４）
【０１２２】
端末デバイスは、式（１３）又は（１４）による計算を通してＤＭＲＳに対するＰＴＲＳの相対電力比を取得し、最後に、ＤＭＲＳの電力に基づいてＰＴＲＳの電力を取得し、ＰＴＲＳの電力を用いることによってＰＴＲＳを送信し得る。
【０１２３】
式（１３）又は（１４）による計算を通して、トランスポートレイヤの数量が１から８であり、ＤＭＲＳポートの数量が１から８であり、ＰＴＲＳポートの数量が、ＤＭＲＳポートの数量以下であるとき、ＤＭＲＳに対するＰＴＲＳの相対電力比が表（３）で示される、ということが学習されることができる。
【０１２４】
【表１５】
2020523904.tif 000114
【０１２５】
トランスポートレイヤの数量が１から１２であり、ＤＭＲＳポートの数量が１から１２であり、ＰＴＲＳポートの数量が、ＤＭＲＳポートの数量以下であるとき、表（３）がさらに拡張されてよく、ＤＭＲＳに対するＰＴＲＳの相対電力比が表（４）に示される。
【０１２６】
【表１６】
2020523904.tif 000115
【０１２７】
ＤＭＲＳの周波数領域密度は、１／２又は１／３などの別の値であり得る。ＤＭＲＳの周波数領域密度がトランスポートレイヤの各数量又はＤＭＲＳポートの各数量について１／２、１／３、１／４、又は１／６であり得ると仮定すると、以下の表（５）が得られ得る。
【０１２８】
【表１７−１】
2020523904.tif 000116
【０１２９】
【表１７−２】
2020523904.tif 000117
【０１３０】
表（５）は、任意の分割使用のためにＤＭＲＳに対するＰＴＲＳの相対電力比を構成する多くの可能性を与える。これは、この出願のこの実施形態では限定されない。
【０１３１】
表（３）から表（５）では、トランスポートレイヤの数量がＤＭＲＳポートの数量に等しくなるので、最初の２列のうちの１つのみが保持されてよい。さらに、産業的実施を容易にするために、表（３）から表（５）中でＤＭＲＳに対するＰＴＲＳの相対電力比に対して切捨てが実行され得る。例えば、トランスポートレイヤの数量が９であり、ＤＭＲＳポートの数量が９であるとき、ＤＭＲＳに対するＰＴＲＳの相対電力比１．７６に対して切捨てが実行されて、値１が得られ得る。代替として表（３）から表（５）中でＤＭＲＳに対するＰＴＲＳの相対電力比について１桁の小数だけが保持され得る。例えば、トランスポートレイヤの数量が９であり、ＤＭＲＳポートの数量が９であるとき、ＤＭＲＳに対するＰＴＲＳの相対電力比１．７６について１桁の小数が保持されて、値１．７が得られ得る。切捨てが実行されるか、又は１桁の小数が保持されるときに四捨五入が実行されるのかどうかは、この出願のこの実施形態では限定されない。
【０１３２】
端末デバイスは、表（例えば、表（３）、表（４）又は表（５））を探索してＤＭＲＳに対するＰＴＲＳの相対電力比を取得し、最後に、ＤＭＲＳの電力に基づいてＰＴＲＳの電力を取得し、ＰＴＲＳの電力を用いることによってＰＴＲＳを送信し得る。
【０１３３】
この出願のこの実施形態における式導出処理では、（１つのＲＢと１つのＯＦＤＭシンボルとの単位での）各ＰＴＲＳポートによって占有されるＲＥの数量ＮRE/PTRSportsは１であると仮定する。但し、実装では、各ＰＴＲＳポートによって占有されるＲＥの数量は、代替として、１つのＲＢ及び１つのＯＦＤＭシンボルの中で１よりも大きく、即ち、ＮRE/PTRSports＞１となり得る。この場合、ＰＴＲＳの周波数領域密度を、式（１５）に示すように、別の変数として式（４）、式（５）、式（１３）、及び式（１４）に追加する必要がある。
ＰＵＳＣＨに対するＰＴＲＳの相対電力比＝１０ｌｏｇ10（ＮlayersＤPTRS）
ＰＵＳＣＨに対するＰＴＲＳの相対電力比＝１０ｌｏｇ10（ＮDMRSportsＤPTRS）
ＤＭＲＳに対するＰＴＲＳの相対電力比＝１０ｌｏｇ10（ＮlayersＤDMRSＤPTRS）
ＤＭＲＳに対するＰＴＲＳの相対電力比＝１０ｌｏｇ10（ＮDMRSportsＤDMRSＤPTRS）（１５）
【０１３４】
ＤPTRSは、ＰＴＲＳの周波数領域密度である。
【０１３５】
相応して、表（１）から表（５）中の相対電力比は、ＰＴＲＳの周波数領域密度とともに変化するが、式（１５）による計算から得られ得る。
【０１３６】
この出願のこの実施形態では、式（４）若しくは（５）による計算を通して又は表（１）若しくは表（２）を探索することによってＰＵＳＣＨに対するＰＴＲＳの相対電力比を取得した後に、端末デバイスは、最後に、ＰＵＳＣＨの電力と別のパラメータＯＦＦＳＥＴPTRS-PUSCHとに基づいてＰＴＲＳの電力を取得し、ＰＴＲＳの電力を用いることによってＰＴＲＳを送信し得る。ＯＦＦＳＥＴPTRS-PUSCHは、ＰＴＲＳの電力とＰＵＳＣＨの電力との間の基準オフセットを表し、基地局によって構成され得る。同様に、式（１３）若しくは（１４）による計算を通して又は表（３）若しくは表（５）を探索することによってＤＭＲＳに対するＰＴＲＳの相対電力比を取得した後に、端末デバイスは、最後に、ＰＵＳＣＨの電力と別のパラメータＯＦＦＳＥＴPTRS-DMRSとに基づいてＰＴＲＳの電力を取得し、ＰＴＲＳの電力を用いることによってＰＴＲＳを送信し得る。ＯＦＦＳＥＴPTRS-DMRSは、ＰＴＲＳの電力とＤＭＲＳの電力との間の基準オフセットを表し、基地局によって構成されてよく、ＯＦＦＳＥＴPTRS-PUSCHと、ＤＭＲＳの電力とＰＵＳＣＨの電力との間の基準オフセットＯＦＦＳＥＴDMRS-PUSCHとを蓄積することによって取得され得る。
【０１３７】
この出願のこの実施形態では、ＰＵＳＣＨに対するＰＴＲＳの相対電力比とＤＭＲＳに対するＰＴＲＳの相対電力比とは、プリセットされるか、又は基地局によって構成され得る。ＰＵＳＣＨに対するＰＴＲＳの相対電力比とＤＭＲＳに対するＰＴＲＳの相対電力比とを直接取得した後に、端末デバイスは、この出願のこの実施形態に記載されている方法を用いることによってＰＴＲＳの電力を取得する。
【０１３８】
この出願のこの実施形態では、基地局は、ＰＴＲＳの最大電力ＰMAXをさらに構成し得る。この出願のこの実施形態における任意の式による計算を通して端末デバイスによって取得されるＰＴＲＳの電力がＰMAXよりも大きいとき、端末デバイスは、ＰMAXを用いることによってＰＴＲＳを送信する。
【０１３９】
次に、この出願のこの実施形態では、式（４）、式（５）、式（１３）、及び式（１４）並びに表（１）から表（５）は、例を用いることによって検証される。以下の例では、ＤＭＲＳポートは、異なる水晶発振器に基づいてグループ化され、同じ局部発振器のＤＭＲＳポートは、１つのグループにグループ化され、このグループ中の全てのポートの位相雑音は、１つのポート上でＰＴＲＳを用いることによって測定され得る。
【０１４０】
図４Ａは、この出願の一実施形態による、パイロットパターンの概略図である（アップリンク送信、１つのトランスポートレイヤ、１つのＤＭＲＳポート、及び１つのＰＴＲＳポート）。ＰＴＲＳのそのような時間周波数リソースマッピング方式では、ＰＴＲＳの電力とＰＵＳＣＨの電力とが調和しており、ＰＵＳＣＨに対するＰＴＲＳの相対電力比が０ｄＢであることが図４Ａから学習されることができる。
【０１４１】
図４Ｂ−１及び図４Ｂ−２は、この出願の一実施形態による、パイロットパターンの概略図である（アップリンク送信、２つのトランスポートレイヤ、２つのＤＭＲＳポート、及び１つのＰＴＲＳポート、ここで、２つのＤＭＲＳポートが１つのグループにグループ化される）。図４Ｂ−１が、トランスポートレイヤ１のパイロットパターンの概略図であり、図４Ｂ−２が、トランスポートレイヤ２のパイロットパターンの概略図であることが図４Ｂ−１及び図４Ｂ−２から学習されることができる。２レイヤ送信が実行されるので、各レイヤにおけるＰＵＳＣＨの電力は総電力の１／２にすぎず、ＰＴＲＳは、総電力を用いることによって１つのポートのみによって送信される。従って、ＰＵＳＣＨに対するＰＴＲＳの相対電力比は、３ｄＢである。
【０１４２】
図４Ｃ−１及び図４Ｃ−２は、この出願の一実施形態による、パイロットパターンの概略図である（アップリンク送信、２つのトランスポートレイヤ、２つのＤＭＲＳポート、及び２つのＰＴＲＳポート、ここで、２つのＤＭＲＳポートが２つのグループにグループ化される）。図４Ｃ−１が、トランスポートレイヤ１のパイロットパターンの概略図であり、図４Ｃ−２が、トランスポートレイヤ２のパイロットパターンの概略図であることが図４Ｃ−１及び図４Ｃ−２から学習されることができる。ＰＴＲＳとデータとの間での直交性仮定のために、トランスポートレイヤ１においてＰＴＲＳを送信するためのＲＥは、トランスポートレイヤ２においてデータにマッピングされることができない。従って、ＰＴＲＳの送信電力を増加させるために使用不可なＲＥの電力が使用され得る。即ち、総電力を一貫して保つために、各レイヤにおいて送信されるＰＴＲＳの電力は、データチャネルの２倍の電力であるべきである。
【０１４３】
この出願のこの実施形態における全ての式及び表が図４Ａから図４Ｃ−２中で検証されるということが学習されることができ、これは、トランスポートレイヤの数量、ＤＭＲＳポートの数量、及びＰＴＲＳポートの数量の他の例についても真である。本明細書で列挙を提供しない。図４Ａから図４Ｃ−２中の「その他」は、ＲＥがデータチャネル、別の参照信号又はその他の信号にマッピングされるのかどうかは限定されないことを意味する。「使用不可」は、ＲＥが使用不可であるか、又はＰＴＲＳとデータチャネルとの直交多重化のためにデータマッピングのために用いられることができないことを意味する。
【０１４４】
図５は、この出願の一実施形態による、送信電力決定方法の概略フローチャートである。図５に示されているように、方法は以下のステップを含む。
【０１４５】
Ｓ５０．端末デバイスは、ＰＵＳＣＨに対するＰＴＲＳの相対電力比を決定する。
【０１４６】
端末デバイスは、この出願のこの実施形態において提供される式に従って若しくはこの出願のこの実施形態において提供される表を探索することによってＰＵＳＣＨに対するＰＴＲＳの相対電力比を決定し得るか、又は端末デバイスは、ＤＭＲＳに対するＰＴＲＳの相対電力比をさらに決定し得る。
【０１４７】
Ｓ５１．端末デバイスは、ＰＴＲＳの送信電力を決定する。
【０１４８】
端末デバイスは、ＰＵＳＣＨに対するＰＴＲＳの相対電力比とＰＵＳＣＨの送信電力とに基づいてＰＴＲＳの送信電力を決定するか、又はＤＭＲＳに対するＰＴＲＳの相対電力比とＤＭＲＳの送信電力とに基づいてＰＴＲＳの送信電力を決定する。
【０１４９】
Ｓ５２．端末デバイスは、決定された送信電力を用いることによってＰＴＲＳを送信する。
【０１５０】
アップリンク送信は、この出願のこの実施形態における説明のための例として用いられる。ダウンリンク送信の場合、新無線（ｎｅｗ  ｒａｄｉｏ、ＮＲ）が、ＤＭＲＳのアップリンク−ダウンリンク対称型のパイロットパターンとＰＴＲＳのアップリンク−ダウンリンク対称型のパイロットパターンとを用いるので、関連する「ＰＵＳＣＨ」が「ＰＤＳＣＨ」に置き換わると仮定して、この出願のこの実施形態における全ての式と表とがダウンリンクＰＴＲＳ電力の決定にも適用可能である。
【０１５１】
この出願のこの実施形態では、基地局デバイスがパイロットパターンを取得した後、送信されるべきＰＴＲＳのパイロットパターンが、別の送信されるべき参照信号（即ち、ＰＴＲＳ以外の参照信号）のパイロットパターンと競合するとき、言い換えれば、送信されるべきＰＴＲＳと別の送信されるべき参照信号とが同じＲＥ又はいくつかの同じＲＥ（競合するＲＥ）を占有する必要があることをパイロットパターンが示すとき、任意選択で、ＰＴＲＳは、別の参照信号のＲＥを占有することを許可されず、即ち、別の参照信号を送信する優先度は、ＰＴＲＳを送信する優先度より高い。この場合、基地局デバイスは、競合するＲＥに別の送信されるべき参照信号をマッピングし、競合するＲＥ上で別の参照信号のみを送信する。ＰＴＲＳの送信電力は、上記の実施形態に記載されている方法を用いることによって決定され得る。
【０１５２】
代替として、送信されるべきＰＴＲＳは、別の送信されるべき参照信号のＲＥを占有することを許可される。この場合、基地局デバイスは、競合するＲＥに、送信されるべきＰＴＲＳをマッピングし、競合するＲＥ上でＰＴＲＳのみを送信する。さらに、（送信されるべきＰＴＲＳにマッピングされた競合するＲＥを除く）別の参照信号を送信するために最初に用いられるＲＥの電力が、ＰＴＲＳの電力を増加させるために用いられ得る。
【０１５３】
概して、この出願のこの実施形態では、データにマッピングされないＲＥ（この出願のこの実施形態では、データマッピングのために用いられることができないＲＥ、データマッピングのために用いられないＲＥ、データにマッピングされないＲＥ、及びミュートされたＲＥの表現は同じ意味を有する）の電力が、ＰＴＲＳの電力を増加させるために用いられる。データへの増分の後にＰＴＲＳの相対電力比（「ＰＴＲＳの電力とデータの電力との間で差と呼ばれることもある）は、トランスポートレイヤの数量の対数に等しくなり（トランスポートレイヤの数量は、マルチレイヤの送信中に２以上になり）、即ち、１０ｌｏｇ10（Ｎlayers）になる。ＰＴＲＳポートの数量がＤＭＲＳポートの数量に等しくなるとき、端末デバイスの異なるトランスポートレイヤにおけるＰＴＲＳ及びデータの直交多重化を保証するために、特定のトランスポートレイヤにおけるいくつかのＲＥは、データにマッピングされず、データにマッピングされないこれらのＲＥの電力はトランスポートレイヤにおいてＰＴＲＳの電力を増加させるために用いられる。この場合、各トランスポートレイヤにおけるデータに対するＰＴＲＳの相対電力比は、トランスポートレイヤの数量の対数に等しくなる。ＰＴＲＳポートの数量がＤＭＲＳポートの数量よりも少ないとき、電力は、レイヤにわたって「借用され」得る。即ち、データにマッピングされない特定のトランスポートレイヤにおけるＲＥの電力は、別のトランスポートレイヤにおけるＰＴＲＳの電力を増加させるために用いられ、ＰＴＲＳのトランスポートレイヤにおけるデータに対するＰＴＲＳの送信電力の相対電力比は、トランスポートレイヤの数量の対数に等しくなる。
【０１５４】
この出願のこの実施形態では、送信端デバイスは、最初に、表を探索することによって又は計算を通してデータチャネルに対する又はＤＭＲＳに対するＰＴＲＳの相対電力比を取得し、データチャネルの送信電力又はＤＭＲＳの送信電力に基づいてＰＴＲＳの送信電力を決定し、送信電力を用いることによってＰＴＲＳを送信し、従って、異なる数量のＤＭＲＳポートと、異なる数量のＰＴＲＳポートと、異なるポート多重化方式構成とがフレキシブルに適応されることができ、それによって、効率的なエネルギー使用を保証する。
【０１５５】
図６は、この出願の一実施形態による、通信デバイス６０のハードウェアの概略構造図である。図６に示されているように、通信デバイス６０は、メモリ６１と、プロセッサ６２と、送信機６３とを含む。
【０１５６】
メモリ６１は、コンピュータ動作命令を含むプログラムコードを記憶するように構成される。
【０１５７】
プロセッサ６２は、コンピュータ動作命令を実行して、次の動作、即ち、
データチャネルに対する位相トラッキング参照信号ＰＴＲＳの相対電力比又は復調参照信号ＤＭＲＳに対するＰＴＲＳの相対電力比を決定することであって、データチャネルに対するＰＴＲＳの相対電力比は、第１の関数と第１の変数とを用いることによって決定され、ＤＭＲＳに対するＰＴＲＳの相対電力比は、第２の関数と、第１の変数と、第２の変数とを用いることによって決定され、第１の変数は、トランスポートレイヤの数量又はＤＭＲＳポートの数量を含み、第２の変数は、ＤＭＲＳの周波数領域密度を含む、ことと、
データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定することと
を実行するように構成される。
【０１５８】
送信機６３は、ＰＴＲＳの送信電力を用いることによって別の通信デバイスにＰＴＲＳを送信するように構成される。
【０１５９】
任意選択で、プロセッサ６２は、コンピュータ動作命令を実行して、次の動作、即ち、
データチャネルに対する位相トラッキング参照信号ＰＴＲＳの相対電力比又は復調参照信号ＤＭＲＳに対するＰＴＲＳの相対電力比を決定するために表を探索することと、
データチャネルに対するＰＴＲＳの相対電力比とデータチャネルの送信電力とに基づいて、又はＤＭＲＳに対するＰＴＲＳの相対電力比とＤＭＲＳの送信電力とに基づいてＰＴＲＳの送信電力を決定することと
を実行するようにさらに構成される。
実施形態２
【０１６０】
送信端が最初にデータチャネルに対する又はＤＭＲＳに対するＰＴＲＳの相対電力比を取得し、次いで、データチャネルの送信電力又はＤＭＲＳの送信電力に基づいてＰＴＲＳの送信電力を決定する実施形態１とは異なり、この出願のこの実施形態では、ＰＴＲＳの送信電力は、計算を通して直接取得される。
【０１６１】
ＬＴＥシステムでは、アップリンク送信電力は、異なる変調及び符号化方式（Ｍｏｄｕｌａｔｉｏｎ  ａｎｄ  Ｃｏｄｉｎｇ  Ｓｃｈｅｍｅ、ＭＣＳ）に基づいて、ＰＵＳＣＨ上でのデータ送信のビット誤り率が１０％に達するときに必要とされる信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）の要件を満たす必要がある。基地局デバイスは、この要件に基づいてＰＵＳＣＨの送信電力を決定する。
【０１６２】
アップリンク送信の例では、データチャネルの送信電力を計算するための式は、
【０１６３】
【数１８】
2020523904.tif 000118
【０１６４】
であり得る。
【０１６５】
式（１６）において、ｉは、サブフレーム番号（又はタイムスロット番号又はシンボル番号）を表し、ｃは、セル番号（又はビーム番号又はビームグループ番号）を表し、ｊは、プリセットされた値を表し、プリセットされるか、又は基地局デバイスによって構成されてよく、
ＰPUSCH,c（ｉ）は、サブフレームｉ中でセルｃにＰＵＳＣＨを送信するために端末デバイスによって用いられる送信電力を表し、
【０１６６】
【数１９】
2020523904.tif 000119
【０１６７】
は、ＰCMAX,c（ｉ）の線形値であり、ＰCMAX,c（ｉ）は、端末デバイスの利用可能な送信電力を表し、
【０１６８】
【数２０】
2020523904.tif 000120
【０１６９】
は、ＰPUCCH（ｉ）の線形値であり、ＰPUCCH（ｉ）は、サブフレームｉ中でＰＵＣＣＨを送信するために端末デバイスによって用いられる送信電力を表し、
ＭPUSCH,c（ｉ）は、サブフレームｉ中のＰＵＳＣＨリソースによって占有される帯域幅を表し、ＲＢの数量の単位であり、
ＰO_PUSCH,c（ｊ）は、ＰＵＳＣＨの基準電力を表し、
ＰO_PUSCH,c（ｊ）＝ＰO_UE_PUSCH,c（ｊ）＋ＰO_NOMINAL_PUSCH,c（ｊ）であり、ここで、ＰO_NOMINAL_PUSCH,c（ｊ）は、セルｃ中での半静的な送信電力基準を表し、通常、セル中の全ての端末デバイスのために基地局デバイスによって構成される共通の値であり、ＰO_UE_PUSCH,c（ｊ）は、セルｃ中の各端末デバイスの準静的な送信電力基準の電力オフセットを表し、通常、各端末デバイスのために基地局デバイスによって構成される特定の値であり、
αc（ｊ）は、経路損失の補償度を表し、
ＰＬcは、端末デバイスがセルｃの参照信号（例えば、チャネル状態情報−参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、セル固有参照信号（Ｃｅｌｌ−ｓｐｅｃｉｆｉｃ  Ｒｅｆｅｒｅｎｃｅ  Ｓｉｇｎａｌ、ＣＲＳ）、又は同期信号ブロック（Ｓｙｎｃｈｒｏｎｉｚａｔｉｏｎ  Ｓｉｇｎａｌ  Ｂｌｏｃｋ、略してＳＳブロック））を測定した後に取得される経路損失値を表し、
ΔTF,c（ｉ）は、各ＲＢの送信電力が、送信フォーマットに従って情報データ送信レートに適応することが許可されることを表し、
ｆc（ｉ）は、累積値と絶対値とに分類され得る端末デバイスに固有の閉ループ電力制御を表す。用いられるべきモードは、基地局デバイスによって構成されるａｃｃｕｍｕｌａｔｉｏｎＥｎａｂｌｅ（ＴＰＣ蓄積が用いられるのかどうか）パラメータを用いることによって決定される。ＴＰＣ蓄積が用いられる場合、ｆc（ｉ）＝ｆc（ｉ−１）＋δPUSCH,c（ｉ−ΚPUSCH）であり、即ち、ｆc（ｉ）は、ｉ番目のサブフレームの前の累積されたＴＰＣ値と（ｉ−ＫPUSCH）番目のサブフレーム中で受信されたダウンリンク制御情報（Ｄｏｗｎｌｉｎｋ  Ｃｏｎｔｒｏｌ  Ｉｎｆｏｒｍａｔｉｏｎ、ＤＣＩ）によって示されるＴＰＣ値δPUSCH,cとの和である。
【０１７０】
この出願のこの実施形態では、データ復調を支援するために位相トラッキングのためにＰＴＲＳが用いられることを考慮すると、ＰＴＲＳの送信電力が計算を通して直接取得されるとき、送信電力決定方法は、式（１６）中のいくつかのパラメータに基づいて取得され得る。方法は以下のステップを含む。
【０１７１】
端末デバイスは、プリセットされた調整パラメータとＰＴＲＳの送信帯域幅とを取得する。
【０１７２】
端末デバイスは、ＰＴＲＳの送信電力を決定し、ここで、ＰＴＲＳの送信電力は、少なくともプリセットされた関数と、調整パラメータと、ＰＴＲＳの送信帯域幅とを用いることによって決定される。
【０１７３】
端末デバイスは、ＰＴＲＳの送信電力を用いることによって基地局デバイスにＰＴＲＳを送信する。
【０１７４】
この出願のこの実施形態では、データ復調を支援するために位相トラッキングのためにＰＴＲＳが用いられることを考慮すると、ＰＴＲＳの送信電力が計算を通して直接取得されるとき、ＰＴＲＳの送信電力は、以下の式に従って式（１６）中のいくつかのパラメータに基づいて決定され得る。
【０１７５】
【数２１】
2020523904.tif 000121
【０１７６】
式（１７）において、パラメータＰCMAX,c（ｉ）、ＰO_PUSCH,c（ｊ）、αc（ｊ）、ＰＬc、及びｆc（ｉ）は全て、式（１６）から再利用される。さらに、ＰPTRS,c（ｉ）は、サブフレームｉ中でセルｃにＰＴＲＳを送信するために端末デバイスによって用いられる送信電力を含み、値がｄＢｍの単位であるＰＴＲＳの送信電力を表し、ＭPTRS,cは、ＰＴＲＳの送信帯域幅を表し、ＰPTRS_OFFSET,c（ｍ）は、現在の調整パラメータを表し、ｍは、０又は１に等しい。
【０１７７】
この出願のこの実施形態では、基地局デバイスは、ＲＲＣシグナリング又はＤＣＩを用いることによってパラメータを構成又はプリセットし得る。
【０１７８】
この出願のこの実施形態では、ＰＴＲＳの送信電力は、計算を通して直接取得され、従って、端末デバイスは、ＰＴＲＳの送信電力を好都合に決定することができる。
実施形態３
【０１７９】
この出願のこの実施形態は、計算を通してＰＴＲＳの送信電力を直接取得するための別の方法を提供する。方法は以下のステップを含む。
【０１８０】
端末デバイスは、ＰＴＲＳの基準電力を取得する。
【０１８１】
端末デバイスは、ＰＴＲＳの送信電力を決定し、ここで、ＰＴＲＳの送信電力は、少なくともプリセットされた関数とＰＴＲＳの基準電力とを用いることによって決定される。
【０１８２】
端末デバイスは、ＰＴＲＳの送信電力を用いることによって基地局デバイスにＰＴＲＳを送信する。
【０１８３】
端末デバイスは、以下の式に従ってＰＴＲＳの送信電力を決定し得る。
【０１８４】
【数２２】
2020523904.tif 000122
【０１８５】
式（１８）において、パラメータＰPTRS,c（ｉ）、ＰCMAX,c（ｉ）、αc（ｊ）、及びＰＬcの意味は、式（１７）中のパラメータのものと同じである。さらに、ＰO_PTRS,c（ｊ）は、ＰＴＲＳの基準電力を表し、ＰO_PTRS,c（ｊ）＝ＰO_NOMINAL_PTRS＋ＰO_UE_PTRSであり、ここで、ＰO_NOMINAL_PTRSは、セルｃ中の全ての端末デバイスのために基地局デバイスによって構成された共通の値を表し、ＰO_UE_PTRSは、セルｃ中の各端末デバイスのために基地局デバイスによって構成された特定の値を表す。
【０１８６】
さらに、パラメータｇ（ｉ）が式（１８）にさらに追加されてよく、従って、各端末デバイスは、以下の式に示すように、端末デバイスの条件に基づいてＰＴＲＳの送信電力を調整することができる。
【０１８７】
【数２３】
2020523904.tif 000123
【０１８８】
ここで、ｇ（ｉ）は、端末デバイスに固有の調整パラメータを表す。
【０１８９】
さらに、パラメータｈ（ｎRS）、ΔPTRS（Ｆ）、及びΔTxD（ＮPTRS-port）が以下の式を取得するために式（１８）にさらに追加され得る。
【０１９０】
【数２４】
2020523904.tif 000124
【０１９１】
式（２０）において、ｎRSは、ＰＴＲＳの優先度パラメータを表し、ｈ（ｎRS）は、ｎRSを用いることによって端末デバイスによって取得される電力オフセットを表し、
Ｆは、パイロットパターンを表し、ΔPTRS（Ｆ）は、パイロットパターンに対応する調整値を表し、異なるパイロットパターンは、異なる調整値に対応し、
ＮPTRS-portは、ＰＴＲＳを送信するためのアンテナポートの数量を表し、ΔTxD（ＮPTRS-port）は、アンテナポートの数量に対応する電力調整値を表し、アンテナポートの異なる数量は異なる調整値に対応する。
【０１９２】
この出願のこの実施形態では、ＰＴＲＳの送信電力は、計算を通して直接取得され、従って、端末デバイスは、ＰＴＲＳの送信電力を好都合に決定することができる。
【０１９３】
実施形態２及び実施形態３において提供される送信電力決定方法は、図６に示す通信デバイスによって実行され得る。例えば、メモリ６１は、コンピュータ動作命令を含むプログラムコードを記憶するように構成される。プロセッサ６２は、必要とされるパラメータを取得し、パラメータと式（１７）から（２０）とを用いることによってＰＴＲＳの送信電力を取得するように構成される。送信機６３は、ＰＴＲＳの送信電力を用いることによって別の通信デバイスにＰＴＲＳを送信するように構成される。
【０１９４】
この出願の一実施形態は、上記のプロセッサによって実行される必要があるコンピュータソフトウェア命令を記憶するように構成されたコンピュータ可読記憶媒体をさらに提供する。コンピュータソフトウェア命令は、上記のプロセッサによって実行される必要があるプログラムを含む。
【０１９５】
この出願の実施形態が方法、システム、又はコンピュータプログラム製品として提供され得ることを、当業者は理解されたい。従って、この出願は、ハードウェアのみの実施形態、ソフトウェアのみの実施形態、又はソフトウェアとハードウェアとの組合せを用いる実施形態の形態を用い得る。さらに、本開示は、コンピュータが使用可能なプログラムコードを含む（限定はしないが、ディスクメモリ、光メモリなどを含む）１つ又は複数のコンピュータが使用可能な記憶媒体上に実装されるコンピュータプログラム製品の形態を使用し得る。
【０１９６】
この出願について、この出願による方法、デバイス（システム）、及びコンピュータプログラム製品のフローチャート及び／又はブロック図を参照しながら説明する。コンピュータプログラム命令が、フローチャート及び／又はブロック図中の各処理及び／又は各ブロック並びにフローチャート及び／又はブロック図中の処理及び／又はブロックの組合せを実装するために使用され得ることを理解されたい。これらのコンピュータプログラム命令は、機械を生成するために汎用コンピュータ、専用コンピュータ、組込みプロセッサ、又は任意の他のプログラマブルデータ処理デバイスのプロセッサのために与えられてよく、従って、コンピュータ又は任意の他のプログラマブルデータ処理デバイスのプロセッサによって実行される命令は、フローチャート中の１つ又は複数の処理中の及び／又はブロック図中の１つ又は複数のブロック中の特定の機能を実装するための装置を生成する。
【０１９７】
これらのコンピュータプログラム命令は、コンピュータ又は任意の他のプログラマブルデータ処理デバイスに特定の方式で動作するように命令することができるコンピュータ可読メモリ中に記憶されてよく、従って、コンピュータ可読メモリ中に記憶された命令は、命令装置を含むアーティファクトを生成する。命令装置は、フローチャート中の１つ又は複数の処理中の及び／又はブロック図中の１つ又は複数のブロック中の特定の機能を実装する。
【０１９８】
これらのコンピュータプログラム命令は、コンピュータ又は別のプログラマブルデータ処理デバイス上にロードされてよく、従って、一連の動作及びステップが、コンピュータ又は別のプログラマブルデバイスに対して実行され、それによって、コンピュータ実施処理を生成する。従って、コンピュータ又は別のプログラマブルデバイス上で実行される命令は、フローチャート中の１つ又は複数の処理中の及び／又はブロック図中の１つ又は複数のブロック中の特定の機能を実装するためのステップを与える。
【０１９９】
明らかに、当業者は、この出願の範囲から逸脱することなくこの出願に様々な修正及び変更することができる。この出願のこれらの修正及び変更が、添付の特許請求の範囲及びそれらの等価な技術によって定義された保護の範囲内に入るという条件で、この出願は、この出願のこれらの修正及び変更をカバーするものである。
【国際調査報告】
2020523904.tif 000125
2020523904.tif 000126
2020523904.tif 000127
2020523904.tif 000128
2020523904.tif 000129
2020523904.tif 000130